(57)【特許請求の範囲】
【請求項１】
受入容器にガスを分配する方法であって、
第１の量のガスを、第１の複数の貯蔵容器のうちの少なくとも１つまたはガス源から第２の複数の貯蔵容器のうちの少なくとも１つの貯蔵容器に、圧縮機を介して移送することと、
第２の量のガスを、前記ガス源から前記第１の複数の貯蔵容器のうちの第１の貯蔵容器に、前記ガス源内のガスと前記第１の貯蔵容器内のガスとの間の圧力差を用いることで移送して、前記第２の量のガスを移送し、同時に、第３の量のガスを、前記ガス源から前記受入容器に、前記ガス源のガスと前記受入容器内のガスとの間の対応する圧力差を用いることで移送して、前記第３の量のガスを移送することと、
第４の量のガスを、前記第２の複数の貯蔵容器のうちの前記少なくとも１つの貯蔵容器から前記受入容器に、前記第２の複数の貯蔵容器のうちの前記少なくとも１つの貯蔵容器内のガスと前記受入容器内のガスとの間の対応する圧力差を用いることで移送して、前記第４の量のガスを移送することであり、前記第４の量のガスは、前記第１の量のガスの少なくとも一部を含む、移送することと、を含む、方法。
【請求項２】
前記第２の量のガスを、前記ガス源から前記第１の複数の貯蔵容器のうちの前記第１の貯蔵容器に移送すること及び前記第３の量のガスを、前記ガス源から前記受入容器に移送することと同時に、前記第１の量のガスを、前記ガス源から前記第２の複数の貯蔵容器のうちの前記少なくとも１つの貯蔵容器に移送する、請求項１に記載の方法。
【請求項３】
第５の量のガスを、前記第１の複数の貯蔵容器のうちの第２の貯蔵容器から前記受入容器に、前記第１の複数の貯蔵容器のうちの前記第２の貯蔵容器内のガスと前記受入容器内のガスとの間の対応する圧力差を用いることで移送すること、をさらに含む、請求項１に記載の方法。
【請求項４】
前記第４の量のガスを、前記第２の複数の貯蔵容器のうちの前記少なくとも１つの貯蔵容器から前記受入容器に、前記対応する圧力差を介して移送することと同時に、第６の量のガスを、前記第１の複数の貯蔵容器のうちの前記第２の貯蔵容器から前記受入容器に、前記圧縮機を介して移送すること、をさらに含む、請求項３に記載の方法。
【請求項５】
第７の量のガスを、前記第１の複数の貯蔵容器のうちの前記第１の貯蔵容器から前記受入容器に、前記第１の複数の貯蔵容器のうちの前記第１の貯蔵容器内のガスと前記受入容器内のガスとの間の圧力差を用いることで移送すること、をさらに含む、請求項４に記載の方法。
【請求項６】
前記第７の量のガスを、前記第１の複数の貯蔵容器のうちの前記第１の貯蔵容器から前記受入容器に移送し、同時に、第８の量のガスを、前記ガス源から前記受入容器に、前記ガス源のガスと前記受入容器内のガスとの間の対応する圧力差を用いることで移送して、前記第８の量のガスを移送する、請求項５に記載の方法。
【請求項７】
前記第４の量のガスを、前記第２の複数の貯蔵容器のうちの前記少なくとも１つの貯蔵容器から前記受入容器に移送すること、及び
第１０の量のガスを、前記第２の複数の貯蔵容器のうちの前記貯蔵容器のうちの少なくとも１つから前記受入容器に、前記第２の複数の貯蔵容器のうちの前記少なくとも１つの貯蔵容器内のガスと前記受入容器内のガスとの間の対応する圧力差を用いることで移送して、前記第１０の量のガスを移送することであって、前記第１０の量のガスは、前記第１の量のガスの少なくとも一部を含む、移送すること、
のうちの１つと同時に、ある量のガスを、前記ガス源から前記受入容器に、前記圧縮機を介して移送すること、をさらに含む、請求項６に記載の方法。
【請求項８】
受入容器にガスを分配するための分配ステーションであって、
複数の貯蔵容器を備える移動式圧縮ガス貯蔵装置であり、前記複数の貯蔵容器のそれぞれが、それぞれの対応する貯蔵容器から前記受入容器に、前記対応する貯蔵容器内のガスと前記受入容器内のガスとの間の対応する圧力差を用いることでガスを分配するための、それらに関連付けられる制御弁を有する、移動式圧縮ガス貯蔵装置と、
固定式分配ステーション構成要素であり、
前記移動式圧縮ガス貯蔵装置の前記複数の貯蔵容器のそれぞれからガスを受け取るように動作可能に配設された圧縮手段、及び
前記圧縮手段からガスを受け取るように動作可能に配設され、かつ前記受入容器にガスを分配するように動作可能に配設された、１つ以上の固定式貯蔵容器、を備える固定式分配ステーション構成要素と、を備え、
前記１つ以上の固定式貯蔵容器にガスを分配するように動作可能に配設された、液体貯蔵容器と、
前記液体貯蔵容器から前記１つ以上の固定式貯蔵容器にガスを圧送するように動作可能に配設された、流体移動装置と、をさらに備える、分配ステーション。
【請求項９】
前記受入容器に分配するための、前記複数の貯蔵容器に関連付けられる前記制御弁のすべてが、前記移動式圧縮ガス貯蔵装置に固定され、前記受入容器に分配するための、前記複数の貯蔵容器に関連付けられる前記制御弁のすべてが、前記移動式圧縮ガス貯蔵装置を前記固定式分配ステーション構成要素に接続する共通のコネクタに供給するように動作可能に配設される、請求項８に記載の分配ステーション。
【請求項１０】
前記複数の貯蔵容器のそれぞれが、それぞれの対応する貯蔵容器から前記圧縮手段にガスを移送するための、それらに関連付けられる制御弁を有し、
前記圧縮手段にガスを移送するための、前記複数の貯蔵容器に関連付けられる前記制御弁のすべてが、前記移動式圧縮ガス貯蔵装置に固定される、請求項８に記載の分配ステーション。
【請求項１１】
前記圧縮手段にガスを移送するための、前記複数の貯蔵容器に関連付けられる前記制御弁のすべてが、前記移動式圧縮ガス貯蔵装置を前記固定式分配ステーション構成要素に接続する第２の共通のコネクタに供給するように動作可能に配設される、請求項１０に記載の分配ステーション。
【請求項１２】
複数の受入容器にガスを分配する方法であって、
第１の量のガスを、第１の移動式圧縮ガス貯蔵装置上の複数の貯蔵容器のうちの第１の貯蔵容器から受入容器に、前記第１の貯蔵容器内のガスと前記受入容器内のガスとの間の圧力差を用いることで移送して、前記第１の量のガスを移送することと、
第２の量のガスを、前記第１の移動式圧縮ガス貯蔵装置上の前記複数の貯蔵容器のうちの第２の貯蔵容器から前記受入容器に、前記第２の貯蔵容器内のガスと前記受入容器内のガスとの間の圧力差を用いることで移送して、前記第２の量のガスを移送することと、
第３の量のガスを、前記第１の移動式圧縮ガス貯蔵装置上の前記複数の貯蔵容器のうちの少なくとも１つから１つ以上の固定式圧縮ガス貯蔵容器に、圧縮機を介して移送することと、
第４の量のガスを、前記１つ以上の固定式圧縮ガス貯蔵容器のうちの少なくとも１つから前記受入容器に、前記１つ以上の固定式圧縮ガス貯蔵容器のうちの前記少なくとも１つ内のガスと前記受入容器内のガスとの間の圧力差を用いることで移送して、前記第４の量のガスを移送することであって、前記第４の量のガスは、前記第３の量のガスの少なくとも一部を含む、移送することと、
前記第１の移動式圧縮ガス貯蔵装置が選択された枯渇レベルまで枯渇された後に、再充填ステーションへ前記第１の移動式圧縮ガス貯蔵装置を搬送することと、
前記再充填ステーションで前記第１の移動式圧縮ガス貯蔵装置を再充填することと、
第５の量のガスを、第２の移動式圧縮ガス貯蔵装置上の複数の貯蔵容器のうちの第１の貯蔵容器から第２の受入容器に、前記第２の移動式圧縮ガス貯蔵装置上の前記複数の貯蔵容器のうちの前記第１の貯蔵容器内のガスと前記第２の受入容器内のガスとの間の圧力差を用いることで移送して、前記第５の量のガスを移送することと、
第６の量のガスを、前記第２の移動式圧縮ガス貯蔵装置上の前記複数の貯蔵容器のうちの第２の貯蔵容器（２０３’）から前記第２の受入容器に、前記第２の移動式圧縮ガス貯蔵装置上の前記複数の貯蔵容器のうちの前記第２の貯蔵容器（２０３’）内のガスと前記第２の受入容器内のガスとの間の圧力差を用いることで移送して、前記第６の量のガスを移送することと、
第７の量のガスを、前記第２の移動式圧縮ガス貯蔵装置上の前記複数の貯蔵容器のうちの少なくとも１つから前記固定式圧縮ガス貯蔵容器のうちの１つ以上に、圧縮機を介して移送することと、
第８の量のガスを、前記１つ以上の固定式圧縮ガス貯蔵容器のうちの前記少なくとも１つまたは別のものから前記第２の受入容器に、前記１つ以上の固定式圧縮ガス貯蔵容器のうちの前記少なくとも１つまたは前記別のもの内のガスと前記第２の受入容器内のガスとの間の圧力差を用いることで移送して、前記第８の量のガスを移送することであり、前記第８の量のガスは、前記第７の量のガスの少なくとも一部を含む、移送することと、を含み、
第１の量の液体を、液体貯蔵容器から前記１つ以上の固定式圧縮ガス貯蔵容器に、前記圧縮機または流体移動装置を介して移送し、それにより前記１つ以上の固定式圧縮ガス貯蔵容器内に第９の量のガスを形成することをさらに含む、方法。
【請求項１３】
第１０の量のガスを、前記第２の移動式圧縮ガス貯蔵装置上の前記複数の貯蔵容器のうちの１つ以上から第３の受入容器に、前記第２の移動式圧縮ガス貯蔵装置上の前記複数の貯蔵容器のうちの前記１つ以上のそれぞれと前記第３の受入容器内のガスとの間の対応する圧力差を用いることで移送して、前記第１０の量のガスを移送することと、
前記第１０の量のガスの前記移送に続いて、第１１の量のガスを、前記１つ以上の固定式圧縮ガス貯蔵容器のうちの少なくとも１つから前記第３の受入容器に、前記１つ以上の固定式圧縮ガス貯蔵容器のうちの前記少なくとも１つ内のガスと前記第３の受入容器内のガスとの間の圧力差を用いることで移送して、前記第１１の量のガスを移送することであり、前記第１１の量のガスは、前記第９の量のガスの少なくとも一部を含む、移送することと、をさらに含む、請求項１２に記載の方法。
【請求項１４】
第１２の量のガスを、前記１つ以上の固定式圧縮ガス貯蔵容器のうちの前記少なくとも１つまたは別のものから第４の受入容器に、前記１つ以上の固定式圧縮ガス貯蔵容器のうちの前記少なくとも１つまたは前記別のもの内のガスと前記第４の受入容器内のガスとの間の圧力差を用いることで移送して、前記第１２の量のガスを移送すること、をさらに含み、
ガスが前記第４の受入容器内のガスの初期圧力から前記第４の受入容器の目標最終圧力まで前記第４の受入容器内のガスの圧力を増加させるように、前記１つ以上の固定式圧縮ガス貯蔵容器のみから前記第４の受入容器に移送される、請求項１３に記載の方法。
【請求項１５】
移動式圧縮ガス貯蔵装置、液体貯蔵容器、及び１つ以上の固定式圧縮ガス貯蔵容器を備える圧縮ガス分配ステーションで、複数の受入容器に圧縮ガスを分配する方法であって、前記方法が、
前記複数の受入容器のうちの第１の受入容器を前記圧縮ガス分配ステーションに動作可能に接続することであり、前記第１の受入容器が初期圧力の圧縮ガスを格納する、接続することと、
第１の量の圧縮ガスを、前記移動式圧縮ガス貯蔵装置上の複数の貯蔵容器のうちの第１の貯蔵容器から前記複数の受入容器のうちの前記第１の受入容器に、前記第１の貯蔵容器内の圧縮ガスと前記第１の受入容器内の圧縮ガスとの間の圧力差を用いることで移送して、前記第１の量の圧縮ガスを移送することと、
前記第１の量の圧縮ガスの前記移送に続いて、第２の量の圧縮ガスを、前記移動式圧縮ガス貯蔵装置上の前記複数の貯蔵容器のうちの第２の貯蔵容器から前記第１の受入容器に、前記第２の貯蔵容器内の圧縮ガスと前記第１の受入容器内の圧縮ガスとの間の圧力差を用いることで移送して、前記第２の量の圧縮ガスを移送することであり、
圧縮ガスが前記初期圧力から前記第１の受入容器の目標圧力まで前記第１の受入容器内の圧縮ガスの圧力を増加させるように、前記移動式圧縮ガス貯蔵装置のみから前記第１の受入容器に移送される、移送することと、
第１の量の液体を、前記液体貯蔵容器から前記１つ以上の固定式圧縮ガス貯蔵容器に、流体移動装置を介して移送し、それにより前記１つ以上の固定式圧縮ガス貯蔵容器内に第３の量の圧縮ガスを形成することと、
前記複数の受入容器のうちの第２の受入容器を前記圧縮ガス分配ステーションに動作可能に接続することと、
第４の量の圧縮ガスを、前記移動式圧縮ガス貯蔵装置上の前記複数の貯蔵容器のうちの１つ以上から前記複数の受入容器のうちの前記第２の受入容器に、前記複数の貯蔵容器のうちの前記１つ以上のそれぞれと前記第２の受入容器内の圧縮ガスとの間の対応する圧力差を用いることで移送して、前記第４の量の圧縮ガスを移送することと、
前記第４の量の圧縮ガスの前記移送に続いて、第５の量の圧縮ガスを、前記１つ以上の固定式圧縮ガス貯蔵容器のうちの少なくとも１つから前記第２の受入容器に、前記１つ以上の固定式圧縮ガス貯蔵容器のうちの前記少なくとも１つ内の圧縮ガスと前記第２の受入容器内の圧縮ガスとの間の圧力差を用いることで移送して、前記第５の量の圧縮ガスを移送することであり、前記第５の量の圧縮ガスは、前記第３の量の圧縮ガスの少なくとも一部を含む、移送することと、
前記複数の受入容器のうちの第３の受入容器を前記圧縮ガス分配ステーションに動作可能に接続することであり、前記第３の受入容器は、初期圧力の圧縮ガスを格納する、接続することと、
第６の量の圧縮ガスを、前記１つ以上の固定式圧縮ガス貯蔵容器のうちの前記少なくとも１つまたは別のものから前記複数の受入容器のうちの前記第３の受入容器に、前記１つ以上の固定式圧縮ガス貯蔵容器のうちの前記少なくとも１つまたは前記別のもの内の圧縮ガスと前記第３の受入容器内の圧縮ガスとの間の圧力差を用いることで移送して、前記第６の量の圧縮ガスを移送することとであり、
圧縮ガスは、前記第３の受入容器内の圧縮ガスの前記初期圧力から前記第３の受入容器の目標圧力まで前記第３の受入容器内の圧縮ガスの圧力を増加させるように、前記１つ以上の固定式圧縮ガス貯蔵容器のみから前記第３の受入容器に移送される、移送することと、を含む、方法。
【請求項１６】
前記移動式圧縮ガス貯蔵装置が、前記移動式圧縮ガス貯蔵装置に取り付けられている総数の貯蔵容器を有し、
前記第５の量の圧縮ガスは、前記移動式圧縮ガス貯蔵装置に取り付けられている前記総数の貯蔵容器のそれぞれ及びすべてのもの内の圧縮ガスの圧力が、前記第２の受入容器内の圧縮ガスの目標圧力を提供するには不十分であると判断されるとき、前記１つ以上の固定式圧縮ガス貯蔵容器のうちの少なくとも１つから前記第２の受入容器に移送される、請求項１５に記載の方法。
【請求項１７】
前記第６の量の圧縮ガスは、前記移動式圧縮ガス貯蔵装置上の前記貯蔵容器が前記第３の受入容器内の圧縮ガスの前記初期圧力未満の圧力の前記圧縮ガスを各々含むとき、または前記圧縮ガス分配ステーションに動作可能に接続された移動式圧縮ガス貯蔵装置がないとき、前記１つ以上の固定式圧縮ガス貯蔵容器から前記第３の受入容器に移送される、請求項１５に記載の方法。
【請求項１８】
複数の貯蔵容器を備える第２の移動式圧縮ガス貯蔵装置を前記圧縮ガス分配ステーションに動作可能に接続することと、
前記複数の受入容器のうちの第４の受入容器を、前記圧縮ガス分配ステーションに動作可能に接続することであって、前記第４の受入容器は初期圧力の前記圧縮ガスを含む、接続することと、
第７の量の圧縮ガスを、前記第２の移動式圧縮ガス貯蔵装置上の前記複数の貯蔵容器のうちの第１の貯蔵容器から前記複数の受入容器のうちの前記第４の受入容器に、前記第２の移動式圧縮ガス貯蔵装置上の前記第１の貯蔵容器内の圧縮ガスと前記第４の受入容器内の圧縮ガスとの間の圧力差を用いることで移送して、前記第７の量の圧縮ガスを移送することと、
第７の量の圧縮ガスの前記移送に続いて、第８の量の圧縮ガスを、前記第２の移動式圧縮ガス貯蔵装置上の前記複数の貯蔵容器の第２の貯蔵容器から前記第４の受入容器に、前記第２の移動式圧縮ガス貯蔵装置上の前記第２の貯蔵容器内の圧縮ガスと前記第４の受入容器内の圧縮ガスと間の圧力差を用いることで移送して、前記第８の量の圧縮ガスを移送することと、をさらに含み、
前記圧縮ガスが、前記第４の受入容器内の前記圧縮ガスの前記圧力を前記初期圧力から前記第４の受入容器の目標圧力まで増加させるように前記第４の受入容器に前記第２の移動式圧縮ガス貯蔵装置のみから移送される、請求項１５に記載の方法。
【請求項１９】
前記移動式圧縮ガス貯蔵装置上の前記圧縮ガスが選択された枯渇レベルまで枯渇した後、前記移動式圧縮ガス貯蔵装置を圧縮ガス供給倉庫に搬送することと、
前記移動式圧縮ガス貯蔵装置を前記圧縮ガス供給倉庫で前記圧縮ガスで再充填することと、
前記移動式圧縮ガス貯蔵装置を前記圧縮ガス分配ステーションに搬送することと、
前記移動式圧縮ガス貯蔵装置を前記圧縮ガス分配ステーションに動作可能に接続することと、
前記複数の受入容器のうちの第５の受入容器を前記圧縮ガス分配ステーションに動作可能に接続することであり、前記第５の受入容器は、初期圧力の前記圧縮ガスを含む、接続することと、
第９の量の圧縮ガスを前記移動式圧縮ガス貯蔵装置上の前記複数の貯蔵容器の前記第１の貯蔵容器から前記複数の受入容器のうちの前記第５の受入容器に、前記移動式圧縮ガス貯蔵装置上の前記第１の貯蔵容器内の圧縮ガスと前記第５の受入容器内の圧縮ガスと間の圧力差を用いることで移送して、前記第９の量の圧縮ガスを移送することと、
前記第９の量の圧縮ガスの前記移送に続いて、第１０の量の圧縮ガスを、前記移動式圧縮ガス貯蔵装置上の前記複数の貯蔵容器の前記第２の貯蔵容器から前記第５の受入容器に、前記移動式圧縮ガス貯蔵装置上の前記第２の貯蔵容器内の圧縮ガスと前記第５の受入容器内の圧縮ガスとの間の圧力差を用いることで移送して、前記第１０の量の圧縮ガスを移送することと、をさらに含み、
前記圧縮ガスは、前記第５の受入容器内の前記圧縮ガスの前記圧力を前記初期圧力から前記第５の受入容器の目標圧力まで増加させるように前記移動式圧縮ガス貯蔵装置のみから前記第５の受入容器に移送される、請求項１８に記載の方法。
【請求項２０】
ある量の圧縮ガスを、前記移動式圧縮ガス貯蔵装置上の前記複数の貯蔵容器のうちの１つ以上から、前記流体移動装置を介して前記固定式圧縮ガス貯蔵容器のうちの１つ以上に移送することと、
前記複数の受入容器のうちの別の受入容器を前記圧縮ガス分配ステーションに動作可能に接続することと、
ある量の圧縮ガスを、固定式圧縮ガス貯蔵容器の１つ以上から前記他の受入容器に、前記１つ以上の固定式圧縮ガス貯蔵容器内の圧縮ガスと前記他の受入容器内の圧縮ガスとの間の前記圧力差を用いることで移送して、前記ある量の圧縮ガスを移送することと、をさらに含み、
前記固定式圧縮ガス貯蔵容器の１つ以上から前記他の受入容器に移送される前記ある量の圧縮ガスは、前記移動式圧縮ガス貯蔵装置上の前記複数の貯蔵容器のうちの前記１つ以上から前記固定式圧縮ガス貯蔵容器のうちの前記１つ以上に前記流体移動装置を介して移送される前記ある量の圧縮ガスの少なくとも一部を含む、請求項１９に記載の方法。
【発明の詳細な説明】
【技術分野】
【０００１】
関連出願の相互参照
本出願は、２０１６年５月２３日に提出された欧州特許出願第１６１７０８９８．７号及び２０１６年６月２９日に出願された米国仮特許出願第６２／３５６０８６号に対する優先権を主張する。
【０００２】
本明細書に引用されたすべての参考文献は、法律で許容される最大限の範囲で参照により組み込まれる。参照が本明細書に完全に組み込まれていない限り、これは、背景目的のために参照により組み込まれ、当業者の知識を示すものである。
【背景技術】
【０００３】
自動車、バス、トラックなどの輸送用燃料として水素を使用することへの関心が高まっている。水素は、一般に、高圧で車両に搭載された燃料タンクに貯蔵される。搭載水素の大部分が枯渇した後、燃料タンク内の水素の圧力が低下し、燃料タンク水素で燃料補充（目標圧力まで再充填）する必要がある。
【０００４】
水素は、高圧貯蔵容器及び／または液体貯蔵容器から供給することができる。ある量の水素を供給するコストは、供給源が液体か圧縮ガスかに依存する。産業界は燃料タンク搭載車に水素を費用対効果の高い方法で供給したいと望んでいる。
【０００５】
産業界は、改良された方法及び圧縮ガス分配のための改良された装置を望んでいる。
【０００６】
産業界は、供給倉庫から分配ステーションへ圧縮ガスを輸送するために使用される貯蔵容器の利用の改善を望み、それによって圧縮ガス貯蔵容器の輸送頻度を減少させる。
【０００７】
産業界は、圧縮機の必要なメンテナンスと圧縮機の電力要件のために、分配ステーションでの圧縮機の使用を減らすことを望んでいる。
【０００８】
産業界は、圧縮ガス分配ステーションでの圧縮ガスの確実な供給を望んでいる。
【０００９】
本発明はまた、天然ガスなどの他の圧縮ガスを分配するのに有用であり得る。
【発明の概要】
【００１０】
以下に概説するように、本発明のいくつかの態様が存在する。以下で、本発明の特定の態様を下記に概説する。カッコ内に設定された参照番号及び表現は、図面を参照して以下でさらに説明される例示的な実施形態を参照している。しかしながら、参照番号及び表現は例示的なものに過ぎず、態様を例示的な実施形態の特定の構成要素または特徴に限定するものではない。これらの態様は、カッコ内に設定された参照番号及び表現が省略されるか、または適宜他のものによって置き換えられる請求項として定式化することができる。
【００１１】
態様１：受入容器（１１１）にガスを分配するための方法であって、
第１の複数の貯蔵容器（１０２、１０３）のうちの少なくとも１つまたはガス源（１１４）から第２の複数の貯蔵容器（１０４）のうちの少なくとも１つの貯蔵容器に第１の量のガスを圧縮機（１０５）を介して移送することと、
第２の量のガスを、ガス源（１１４）から第１の複数の貯蔵容器のうちの第１の貯蔵容器（１０２）に、ガス源（１１４）内のガスと第１の貯蔵容器（１０２）内のガスとの間の圧力差を用いることで移送して、第２の量のガスを移送し、同時に、第３の量のガスを、ガス源（１１４）から受入容器（１１１）に、ガス源（１１４）のガスと受入容器（１１１）内のガスとの間の対応する圧力差を用いることで移送して、第３の量のガスを移送することと、
第４の量のガスを、第２の複数の貯蔵容器（１０４）のうちの少なくとも１つの貯蔵容器から受入容器（１１１）に、第２の複数の貯蔵容器（１０４）のうちの少なくとも１つの貯蔵容器（１１１）内のガスと間の対応する圧力差を用いることで移送して、第４の量のガスを移送すること、とを含み、第４のガス量が、第１の量のガスの少なくとも一部を含む、ガス分配方法。
【００１２】
態様２：第２の量のガスのガス源（１１４）から第１の複数の貯蔵容器の第１の貯蔵容器（１０２）へのガスの移送と、第３の量のガスのガス源（１１４）から受入容器（１１１）への移送と同時に、第１の量のガスを、ガス源（１１４）から第２の複数の貯蔵容器（１０４）のうちの少なくとも１つの貯蔵容器に移送する、態様１に記載の方法。
【００１３】
態様３：
第５の量のガスを、第１の複数の貯蔵容器のうちの第２の貯蔵容器（１０３）から受入容器（１１１）に、第１の複数の貯蔵容器のうちの第２の貯蔵容器（１０３）のガスと受入容器（１１１）内のガスとの間の対応する圧力差を用いることで、移送することを、さらに含む、態様１または態様２に記載の方法。
【００１４】
態様４：
対応する圧力差によって第２の複数の貯蔵容器（１０４）のうちの少なくとも１つの貯蔵容器から第４の量のガスの受入容器（１１１）への移送と同時に第１の複数の貯蔵容器の第２の貯蔵容器（１０３）から圧縮機（１０５）を介して第６の量のガスを受入容器（１１１）に移送すること、をさらに含む、態様３の方法。
【００１５】
態様５：
第７の量のガスを、第１の複数の貯蔵容器のうちの第１の貯蔵容器（１０２）から受入容器（１１１）に、第１の複数の貯蔵容器の第１の貯蔵容器（１０２）内のガスと受入容器（１１１）内のガスとの間の圧力差を用いることで、移送すること、をさらに含む、態様１〜４のいずれかに記載の方法。
【００１６】
態様６：
第７の量のガスを、第１の複数の貯蔵容器の第１の貯蔵容器（１０２）から受入容器（１１１）に移送し、同時に、第８の量のガスをガス源（１１４）から受入容器（１１１）に、ガス源（１１４）のガスと受入容器（１１１）内のガスとの間の対応する圧力差を用いることで移送して、第８の量のガスを移送する、態様５に記載の方法。
【００１７】
態様７：第７の量のガスが、第１の複数の貯蔵容器の第１の貯蔵容器（１０２）から受入容器（１１１）に移送され、同時に第９の量のガスをガス源（１１４）から圧縮機（１０５）を経由して第２の複数の貯蔵容器（１０４）のうちの少なくとも１つの貯蔵容器に移送する、態様５または態様６に記載の方法。
【００１８】
態様８：
第４の量のガスを、第２の複数の貯蔵容器（１０４）のうちの前記少なくとも１つの貯蔵容器から受入容器（１１１）に移送すること、及び
第１０の量のガスを、第２の複数の貯蔵容器（１０４）のうちの貯蔵容器のうちの少なくとも１つから受入容器（１１１）に、第２の複数の貯蔵容器（１０４）のうちの少なくとも１つの貯蔵容器内のガスと受入容器（１１１）内のガスとの間の対応する圧力差を用いることで移送して、第１０の量のガスを移送することであって、第１０の量のガスが、第１の量のガス及び／または態様７に記載の第９の量のガスの少なくとも一部を含む、移送すること、
のうちの１つと同時に、ある量のガスを、ガス源（１１４）から受入容器（１１１）に、圧縮機（１０５）を介して移送すること、をさらに含む、態様１から７のいずれかに記載の方法。
【００１９】
態様９：受入容器（２１１）にガスを分配するための分配ステーションであって、
対応する貯蔵容器内のガスと受入容器（２１１）内のガスとの間の対応する圧力差を用いることで、それぞれの対応する貯蔵容器から受入容器（２１１）にガスを分配するために関連付けられる制御弁（２２０、２３０）をそれぞれが有する複数の貯蔵容器（２０２、２０３）を備える移動式圧縮ガス貯蔵装置（２１０）と、
移動式圧縮ガス貯蔵装置（２１０）の複数の貯蔵容器のそれぞれからガスを受け取るように動作可能に配設された圧縮手段（２０５）と、
圧縮手段（２０５）からガスを受け入れるように動作可能に配設され、ガスを受入容器に分配するように動作可能に配設された１つ以上の固定式圧縮ガス貯蔵容器（２０４）と、を備える固定式分配ステーション構成要素と、を備える、ガス分配ステーション。
【００２０】
態様１０：受入容器（２１１）に分配するための複数の貯蔵容器（２０２、２０３）に関連付けられるすべての制御弁（２２０、２３０）が移動式圧縮ガス貯蔵装置（２１０）に固定されている、態様９に記載の分配ステーション。
【００２１】
態様１１：受入容器（２１１）に分配するための複数の貯蔵容器に関連付けられる制御弁（２２０、２３０）のすべてが、移動式圧縮ガス貯蔵装置（２１０）を固定式分配ステーション構成要素に接続する共通のコネクタ（２２５）に供給するように動作可能に配設される、態様９または態様１０記載の分配ステーション。
【００２２】
態様１２：共通のコネクタ（２２５）が、移動式圧縮ガス貯蔵装置（２１０）に関連するコネクタ部分と、固定式分配ステーション構成要素に関連するコネクタ部分とを有し、移動式圧縮ガス貯蔵装置（２１０）に関連付けられるコネクタ部分が、移動式圧縮ガス貯蔵装置（２１０）上に配置され、好ましくは固定されている、態様１１に記載の分配ステーション。
【００２３】
態様１３：複数の貯蔵容器（２０２、２０３）のそれぞれが、それぞれの対応する貯蔵容器から圧縮手段（２０５）にガスを移送するために関連付けられる制御弁（２２２、２３２）を有し、
ガスを圧縮手段（２０５）に移送するための複数の貯蔵容器に関連付けられる制御弁のすべてが、移動式圧縮ガス貯蔵装置（２１０）上に固定される、態様９〜１２にいずれか１項に記載の分配ステーション。
【００２４】
態様１４：圧縮手段（２０５）にガスを移送するための複数の貯蔵容器（２０２、２０３）に関連する制御弁（２２２、２３２）のすべてが、移動式圧縮ガス貯蔵装置（２１０）を固定式分配ステーション構成要素に接続する第２の共通のコネクタ（２３５）に供給するように動作可能に配設される、態様１３に記載の分配ステーション。
【００２５】
態様１５：第２の共通コネクタ（２３５）が、移動式圧縮ガス貯蔵装置（２１０）に関連するコネクタ部分と、固定式分配ステーション構成要素に関連するコネクタ部分とを有し、移動式圧縮ガス貯蔵装置（２１０）に関連する第２の共通コネクタ（２３５）のコネクタ部分が、移動式圧縮ガス貯蔵装置（２１０）上に配置され、好ましくは固定される、態様１４に記載の分配ステーション。
【００２６】
態様１６：複数の受入容器にガスを分配する方法であって、
第１の量のガスを、第１の移動式圧縮ガス貯蔵装置（２１０）上の複数の貯蔵装置のうちの第１の貯蔵装置（２０２）から受入容器（２１１）に、第１の貯蔵装置（２０２）内のガスと受入容器（２１１）内のガスとの間の圧力差を用いることで移送して、第１の量のガスを移送することと、
第２の量のガスを、第１の移動式圧縮ガス貯蔵装置（２１０）上の複数の貯蔵装置のうちの第２の貯蔵装置（２０３）から受入容器（２１１）に、第２の貯蔵装置（２０３）内のガスと受入容器（２１１）内のガスとの間の圧力差を用いることで移送して、第２の量のガスを移送することと、
圧縮機（２０５）を介して第１の移動式圧縮ガス貯蔵装置（２１０）上の複数の貯蔵装置のうちの少なくとも１つからの第３の量のガスを１つ以上の固定式圧縮ガス貯蔵容器（２０４）に移送することと、
第４の量のガスを、１つ以上の固定式圧縮ガス貯蔵容器（２０４）のうちの少なくとも１つから受入容器（２１１）に、１つ以上の固定式圧縮ガス貯蔵容器（２０４）のうちの少なくとも１つのガスと受入容器（２１１）内のガスとの間の圧力差を用いることで移送して、第４の量のガスを移送することと、第４の量のガスが、第３の量のガスの少なくとも一部を含み、
第１の移動式圧縮ガス貯蔵装置が選択された枯渇レベルに枯渇された後に再充填ステーションへの第１の移動式圧縮ガス貯蔵装置（２１０）を搬送することと、
再充填ステーションで第１の移動式圧縮ガス貯蔵装置（２１０）を再充填することと、
第５の量のガスを、第２の移動式圧縮ガス貯蔵装置（２１０’）上の複数の貯蔵装置のうちの第１の貯蔵装置（２０２’）から第２の受入容器（２１１’）に、第２の移動式圧縮ガス貯蔵装置（２１０’）上の複数の貯蔵装置のうちの第１の貯蔵装置（２０２’）内のガスと第２の貯蔵装置（２０２’）内のガスと第２の受入容器（２１１’）内のガスとの間の圧力差を用いることで移送して、第５の量のガスを移送することと、
第６の量のガスを、第２の移動式圧縮ガス貯蔵装置（２１０’）上の複数の貯蔵装置のうちの第２の貯蔵装置（２０３’）から第２の受入容器（２１１’）に、第２の移動式圧縮ガス貯蔵装置（２１０’）上の複数の貯蔵装置のうちの第２の貯蔵装置（２０３’）と第２の受入容器（２１１’）内のガスとの間の圧力差を用いることで移送して、第６の量のガスを移送することと、
第７の量のガスを、圧縮機（２０５）を介して第２の移動式圧縮ガス貯蔵装置（２１０’）上の複数の貯蔵装置のうちの少なくとも１つから１つ以上の固定式圧縮ガス貯蔵容器（２０４）に移送することと、
第８の量のガスを、固定式圧縮ガス貯蔵容器（２０４）のうちの少なくとも１つもしくは別から第２の受入容器（２１１’）に、１つ以上の固定式圧縮ガス貯蔵容器（２０４）のうちの少なくとも１つもしくは他のガスと第２の受入容器（２１１‘）内のガスとの圧力差を用いることで移送して、第８の量のガスを移送することと、を含み、第８の量のガスが、第７の量のガスの少なくとも一部を含む、方法。
【００２７】
態様１７：
第１の量の液体を圧縮機（２０５）または流体移動装置（２５５）を介して液体貯蔵容器（２５０）から１つ以上の固定式圧縮ガス貯蔵容器（２０４）に移送し、それにより第１のガスを形成する１つ以上の固定式圧縮ガス貯蔵容器（２０４）内の第９の量のガスを形成することと、
第１０のガス量を、第２の移動式圧縮ガス貯蔵装置（２１０’）上の複数の貯蔵装置のうちの１つ以上から第３の受入容器（２１１’’）に、第２の移動式圧縮ガス貯蔵装置上の複数の貯蔵装置のうちの１つ以上のそれぞれと第３の受入容器（２１１’’）内のガスとの間の圧力差を用いることで移送して、第１０の量のガスを移送することと、
第１０のガスの移送に続いて、第１１の量のガスを、１つ以上の固定式圧縮ガス貯蔵容器（２０４）のうちの少なくとも１つから第３の受入容器（２１１’’）に、１つ以上の固定式圧縮ガス貯蔵容器（２０４）のうちの少なくとも１つのガスと第３の受入容器（２１１’’）のガスとの間の圧力差を用いることで移送して、第１１のガス量を移送することと、をさらに含み、第１１の量のガスが、第９の量のガスの少なくとも一部を含む、態様１６に記載の方法。
【００２８】
態様１８：
第１２の量のガスを、１つ以上の固定式圧縮ガス貯蔵容器（２０４）のうちの少なくとも１つまたは他のものから第４の受入容器（２１１’’’）に、１つ以上の固定式圧縮ガス貯蔵容器（２０４）と第４の受入容器（２１１’’’）のガスのうちの少なくとも１つまたは他のガスとの間の圧力差を用いることで移送して、第１２の量のガスを移送することと、をさらに含み、
第４の受入容器（２１１’’’）のガスの圧力を第１の受入容器内の初期のガス圧力から第４の受入容器の目標最終圧力まで増加させるためガスを１つ以上の固定式圧縮ガス貯蔵容器（２０４）のみから第４の受入容器（２１１’’’）に移送する、態様１７に記載の方法。
【００２９】
態様１９：第１２の量のガスが、第２の移動式圧縮ガス貯蔵装置（２１０’）上の貯蔵容器がそれぞれ第４の受入容器（２１１’’’）のガスの初期圧力よりも低い圧力のガスを含むとき、１つ以上の固定式圧縮ガス貯蔵容器（２０４）から第４の受入容器（２１１’’’）に移送される、態様１８に記載の方法。
【００３０】
態様２０：
第３の受入容器（２１１’’）が、第１１のガス量を受けた後に目標最終圧力のガスを含み、
第２の移動式圧縮ガス貯蔵装置（２１０’）が、第２の移動式圧縮ガス貯蔵装置（２１０’）に取り付けられた貯蔵容器の総数を有し、
第２の移動式圧縮ガス貯蔵装置（２１０’）に取り付けられた貯蔵容器の総数のそれぞれ及びすべてが、第３の受入容器（２１１’’）内のガスの目標最終圧力を提供するには不十分であると判断されるとき、第１１の量のガスが、１つ以上の固定式圧縮ガス貯蔵容器（２０４）から第３の受入容器（２１１’’）に移送される、態様１７または態様１８または態様１９のいずれかに記載の方法。
【００３１】
態様２１：
第１３の量のガスを、第２の移動式圧縮ガス貯蔵装置（２１０’）から第５の受入容器（２１１’’’’）に、第１の貯蔵容器（２０２’）と第５の受入容器（２１１’’’’）のガスの間の圧力差を用いることで移送して、第１３の量のガスを移送することと、
第１３の量のガスの移送に続いて、第１４の量のガスを、第２の移動式圧縮ガス貯蔵装置上の複数の貯蔵容器の第２の貯蔵装置（２０３’）から第５の受入容器（２１１’’’’）に、第２の貯蔵装置（２０３’）のガスと第５の受入容器（２１１’’’’）のガスとの間の圧力差を用いることで移送して、第１４のガス量を移送することと、を含み、
第５の受入容器の圧縮ガスの圧力を初期のガス圧力から第５の受入容器（２１１’’’’）の目標最終圧力まで増加させるため、ガスを第２の移動式圧縮ガス貯蔵装置のみから第５の受入容器に移送する、態様１６〜２０のいずいれか１項に記載の方法。
【００３２】
態様２２：液体貯蔵容器（２５０）が、固定式液体貯蔵容器である、態様１７〜２１のいずれか１項に記載の方法。
【００３３】
態様２３：液体貯蔵容器（２５０）が、移動式液体貯蔵容器である、態様１７〜２１のいずれか１項に記載の方法。
【００３４】
態様２４：第１の量の液体が、液体貯蔵容器（２５０）から流体移動装置（２５５）を介して圧縮ガス貯蔵容器（２０４）に移送され、流体移動装置（２５５）が、液状で液体貯蔵容器（２５０）から第１の量の液体を受ける、態様１７〜２３のいずれか１項に記載の方法。
【００３５】
態様２５：流体移動装置（２５５）が、液体もしくは超臨界流体として第１の量の流出液を放出し、第１の量の流出液が、第１の量の液体から形成され、方法が、流体移動装置（２５５）からの第１の量の流出液を加熱して第９の量のガスを生成すること、をさらに含む、態様１〜２４のいずれか１項に記載の方法。
【００３６】
態様２６：ある量のガスを、第１の移動式圧縮ガス貯蔵装置（２１０）上の複数の貯蔵容器の複数の貯蔵容器（２０２、２０３）のうちの少なくとも１つから圧縮機（２０５）を介して受入容器（２１１）に移送すること、をさらに含む、態様１６〜２５のいずれか１項に記載の方法。
【００３７】
態様２７：第１の移動式圧縮ガス貯蔵装置（２１０）上の複数の貯蔵容器の複数の貯蔵容器（２０２、２０３）のうちの少なくとも１つから圧縮機（２０５）を介して受入容器（２１１）に移送することが、１つ以上の固定式圧縮ガス貯蔵容器（２０４）のうちの少なくとも１つから受入容器（２１１）に第４の量のガスを移送することと同時である、態様２６に記載の方法。
【００３８】
態様２８：移動式圧縮ガス貯蔵装置（３００）、液体貯蔵容器（３５０）及び１つ以上の圧縮ガス貯蔵容器（３１１）を備える圧縮ガス分配ステーション（１０）において複数の受入容器に圧縮ガスを分配する方法であって、
複数の受入容器の第１の受入容器（３７１）を圧縮ガス分配ステーション（１０）に動作可能に接続することであり、第１の受入容器（３７１）が、初期圧力の圧縮ガスを含む、接続することと、
第１の量の圧縮ガスを、移動式圧縮ガス貯蔵装置（３００）上の複数の貯蔵容器のうちの第１の貯蔵容器（３０２）から複数の受入容器のうちの第１の受入容器（３７１）に、第１の貯蔵容器（３０２）内の圧縮ガスと第１の受入容器（３７１）内の圧縮ガスとの間の圧力差を用いることで移送して、第１の量の圧縮ガスを移送することと、
第１の量の圧縮ガスの移送に続いて、移動式圧縮ガス貯蔵装置（３００）上の複数の貯蔵容器のうちの第２の貯蔵容器（３０３）から第１の受入容器（３７１）に、第２の量の圧縮ガスを、第２の貯蔵容器（３０３）内の圧縮ガスと第１の受入容器（３７１）内の圧縮ガスとの間の圧力差を用いることで移送して第２の量の圧縮ガスを移送することであり、
圧縮ガスが初期圧力から第１の受入容器の目標圧力まで第１の受入容器（３７１）内の圧縮ガスの圧力を増加させるように、移動式圧縮ガス貯蔵装置（３００）のみから第１の受入容器（３７１）に移送される、移送することと、
第１の量の液体を、液体貯蔵容器（３５０）から流体移動装置（１１０）を介して１つ以上の固定式圧縮ガス貯蔵容器（３１１）に移送し、それにより第３の量の圧縮ガスを１つ以上の固定式圧縮ガス貯蔵容器（３１１）内に形成することと、
複数の受入容器のうちの第２の受入容器（３７２）を圧縮ガス分配ステーション（１０）に動作可能に接続することと、
第４の量の圧縮ガスを、移動式圧縮ガス貯蔵装置（３００）上の複数の貯蔵容器（３０２、３０３）のうちの１つ以上からの複数の受入容器のうちの第２の受入容器（３７２）に、複数の貯蔵容器（３０２、３０３）のうちの１つ以上と前記第２の受入容器（３７２）の前記圧縮ガスとの間の対応する圧力差を用いることで移送して、第４の量の圧縮ガスを移送することと、
第４の量の圧縮ガスの移送に続いて、第５の量の圧縮ガスを、１つ以上の固定式圧縮ガス貯蔵容器（３１１）のうちの少なくとも１つから第２の受入容器（３７２）に、第１の固定式圧縮ガス貯蔵容器（３１１）のうちの少なくとも１つの圧縮ガスと第２の受入容器（３７２）の圧縮ガスとの間の圧力差を用いることで移送して、第５の量の圧縮ガスを移送することであり、第５の量の圧縮ガスは、第３の量の圧縮ガスの少なくとも一部を含む、移送することと、
複数の受入容器のうちの第３の受入容器（３７３）を圧縮ガス分配ステーション（１０）に動作可能に接続することであり、第３の受入容器（３７３）は、初期圧力の圧縮ガスを格納する、接続することと、
第６の量の圧縮ガスを、１つ以上の固定式圧縮ガス貯蔵容器（３１１）のうちの少なくとも１つまたは他から、複数の受入容器のうちの第３の受入容器（３７３）に、１つ以上の固定式圧縮ガス貯蔵容器（３１１）のうちの少なくとも１つまたは他内のガスと第３の受入容器（３７３）内の圧縮ガスとの間の圧力差を用いることで移送して、第６の量の圧縮ガスを移送することと、を含み、
第３の受入容器（３７３）の圧縮ガスの圧力を第３の受入容器（３７３）内の初期のガス圧力から第３の受入容器（３７３）の目標最終圧力まで増加させるため、圧縮ガスが、１つ以上の固定式圧縮ガス貯蔵容器（３１１）のみから第３の受入容器（３７３）に移送される、方法。
【００３９】
態様２９：移動式圧縮ガス貯蔵装置（３００）が、移動式圧縮ガス貯蔵装置（３００）に取り付けられている総数の貯蔵容器を有し、
第５の量の圧縮ガスは、移動式圧縮ガス貯蔵装置（３００）に取り付けられている総数の貯蔵容器のそれぞれ及びすべてのもの内の圧縮ガスの圧力が、第２の受入容器（３７２）内の圧縮ガスの目標圧力を提供するには不十分であると判断されるとき、１つ以上の固定式圧縮ガス貯蔵容器（３１１）のうちの少なくとも１つから第２の受入容器（３７２）に移送される、態様２８に記載の方法。
【００４０】
態様３０：第６の量の圧縮ガスが、移動式圧縮ガス貯蔵装置（３００）上の貯蔵容器が第３の受入容器（３７３）の圧縮ガスの初期圧力未満の圧力の圧縮ガスをそれぞれ含むとき、または圧縮ガス分配ステーション（１０）に動作可能に接続された移動式圧縮ガス貯蔵装置がないとき、１つ以上の固定式圧縮ガス貯蔵容器（３１１）から第３の受入容器（３７３）に移送される、態様２８または態様２９に記載の方法。
【００４１】
態様３１：液体貯蔵容器（３５０）が、固定式液体貯蔵容器である、態様２８から３０のいずれか１項に記載の方法。
【００４２】
態様３２：液体貯蔵容器（３５０）が、移動式液体貯蔵容器である、態様２８から３０のいずれか１項に記載の方法。
【００４３】
態様３３：
複数の貯蔵容器を備える第２の移動式圧縮ガス貯蔵装置（４００）を圧縮ガス分配ステーション（１０）に動作可能に接続することと、
複数の受入容器の第４の受入容器（３７４）を圧縮ガス分配ステーション（１０）に動作可能に接続することであって、第４の受入容器（３７４）が、初期圧力の圧縮ガスを含む、接続することと、
第７の量の圧縮ガスを、前記第２の移動式圧縮ガス貯蔵装置（４００）の複数の貯蔵容器の第１の貯蔵容器から複数の受入容器の第４の受入容器（３７４）に、第２の移動式圧縮ガス貯蔵装置上の複数の貯蔵容器の第１の貯蔵容器（４０２）の圧縮ガスと第４の受入容器（３７４）との間の圧力差を用いることで移送して、第７の量の圧縮ガスを移送することと、
第７の量の圧縮ガスの移送に続いて、第８の量の圧縮ガスを、第２の移動式圧縮ガス貯蔵装置上の複数の貯蔵容器のうちの第２の貯蔵容器（４０３）から第４の受入容器（３７４）に、第２の移動式圧縮ガス貯蔵装置（４００）上の第２の貯蔵容器（４０３）内の圧縮ガスと第４の受入容器（３７４）内の圧縮ガスとの間の圧力差を用いることで移送して、第８の量の圧縮ガスを移送することと、をさらに含み、
圧縮ガスが、第４の受入容器の圧縮ガスの圧力を初期圧力から第４の受入容器の目標圧力まで増加させるために、第２の移動式圧縮ガス貯蔵装置（４００）のみから第４の受入容器（３７４）に移送される、態様２８〜３２のいずれか１項に記載の方法。
【００４４】
態様３４：
移動式圧縮ガス貯蔵装置（３００）上の圧縮ガスが選択された枯渇レベルまで枯渇した後、移動式圧縮ガス貯蔵装置（３００）を圧縮ガス供給倉庫に搬送することと、
移動式圧縮ガス貯蔵装置（３００）を圧縮ガス供給倉庫で圧縮ガスを有する再充填することと、
移動式圧縮ガス貯蔵装置（３００）を圧縮ガス分配ステーション（１０）に搬送することと、
移動式圧縮ガス貯蔵装置（３００）を圧縮ガス分配ステーション（１０）に動作可能に接続することと、
複数の受入容器のうちの第５の受入容器（３７５）を圧縮ガス分配ステーション（１０）に動作可能に接続することであって、第５の受入容器（３７５）が、初期圧力の圧縮ガスを含む、接続することと、
第９の量の圧縮ガスを、移動式圧縮ガス貯蔵装置（３００）上の複数の貯蔵容器のうちの第１の貯蔵容器（３０２）から複数の受入容器のうちの第５の受入容器（３７５）に、移動式圧縮ガス貯蔵装置（３００）上の第１の貯蔵容器（３０２）内の圧縮ガスと第５の受入容器（３７５）内の圧縮ガスとの間の圧力差を用いることで移送して、第９の量の圧縮ガスを移送することと、
第９の量の圧縮ガスの移送に続いて、第１０の量の圧縮ガスを、移動式圧縮ガス貯蔵装置（３００）上の複数の貯蔵容器のうちの第２の貯蔵容器（３０３）から第５の受入容器（３７５）に、第１０の量の圧縮ガスを移送するために移動式圧縮ガス貯蔵装置（３００）上の第２貯蔵容器（３０３）内の圧縮ガスと第５の受入容器（３７５）内の圧縮ガスとの間の圧力差を用いることで移送して、第１０の量の圧縮ガスを移送することと、をさらに含み、
圧縮ガスが、第５受入容器の圧縮ガスの圧力を初期圧力から第５受入容器の目標圧力まで増加させるために、移動式圧縮ガス貯蔵装置（３００）のみから第５受入容器（３７５）に移送される、態様３３に記載の方法。
【００４５】
態様３５：第１の受入容器（３７１）が、移動式圧縮ガス貯蔵装置（３００）からの圧縮ガスのみを使用して目標圧力まで再充填される、態様２８〜３４のいずれか１項に記載の方法。
【００４６】
態様３６：第３の受入容器（３７３）が、１つ以上の固定式圧縮ガス貯蔵容器（３１１）からの圧縮ガスのみを使用して目標圧力まで再充填される、態様２８〜３５のいずれか１項に記載の方法。
【００４７】
態様３７：流体移動装置（１１０）が、液体状態の液体貯蔵容器（３５０）から第１の量の液体を受け取る、態様２８〜３６のいずれか１項に記載の方法。
【００４８】
態様３８：流体移動装置（１１０）が、第１の量の流出液を液体または超臨界流体として放出し、第１の量の流出液が、第１の量の液体から形成され、流体移動装置（１１０）からの第１の量の流出物を加熱して、第３の量の圧縮ガスを形成すること、をさらに含む、態様３７に記載の方法。
【００４９】
態様３９：
ある量の圧縮ガスを、移動式圧縮ガス貯蔵装置（３００）上の複数の貯蔵容器（３０２、３０３）のうちの１つ以上からの１つ以上の圧縮ガスを流体移動装置（１１０）を介して１つ以上の固定式圧縮ガス貯蔵容器（３１１）に移送すること、をさらに含む、態様２８〜３８のいずれか１項に記載の方法。
【００５０】
態様４０：
複数の受入容器のうちの別の受入容器（３７６）を圧縮ガス分配ステーション（１０）に動作可能に接続することと、
ある量の圧縮ガスを、固定式圧縮ガス貯蔵容器（３１１）の１つ以上から他の受入容器（３７６）に１つ以上の固定式圧縮ガス貯蔵容器（３１１）内の圧縮ガスと他の受入容器（３７６）内の圧縮ガスとの間の圧力差を用いることで移送して、ある量の圧縮ガスを移送することと、をさらに含み、１つ以上の固定式圧縮ガス貯蔵容器（３１１）から他の受入容器（３７６）に移送されるある量の圧縮ガスが、移動式圧縮ガス貯蔵装置（３００）上の複数の貯蔵容器（３０２、３０３）の１つ以上から流体移動装置（１１０）を介して１つ以上の固定式圧縮ガス貯蔵容器（３１１）に移送されるある量の圧縮ガスの少なくとも一部を含む、態様３９に記載の方法。
【００５１】
態様４１：第１の受入容器（３７１）が、第１の受入容器（３７１）の目標圧力まで再充填され、その後圧縮ガス分配ステーション（１０）から切り離される、態様２８〜４０のいずれか１項に記載の方法。
【００５２】
態様４２：第２の受入容器（３７２）が、移動式圧縮ガス貯蔵装置（３００）及び固定式圧縮ガス貯蔵容器（３１１）のうちの少なくとも１つからの圧縮ガスを使用して第２の受入容器（３７２）を第２の受入容器（３７２）の目標圧力まで再充填した後、圧縮ガス分配ステーション（１０）から切り離される、態様２８〜４１のいずれか１項に記載の方法。
【００５３】
態様４３：第３の受入容器（３７３）が、第３の受入容器（３７３）を第３の受入容器（３７３）の目標圧力まで再充填した後、圧縮ガス分配ステーション（１０）から切り離される、態様２８〜４２のいずれか１項に記載の方法。
【００５４】
態様４１：ガスは水素または圧縮ガスが水素である、態様２８〜４３のいずれかである、態様１〜２７のいずれか１項に記載の方法。
【図面の簡単な説明】
【００５５】
【図１ａ】図１ａ〜ｙは、第２の圧縮ガス分配方法で利用可能なステップを示す。
【図１ｂ】図１ａ〜ｙは、第２の圧縮ガス分配方法で利用可能なステップを示す。
【図１ｃ】図１ａ〜ｙは、第２の圧縮ガス分配方法で利用可能なステップを示す。
【図１ｄ】図１ａ〜ｙは、第２の圧縮ガス分配方法で利用可能なステップを示す。
【図１ｅ】図１ａ〜ｙは、第２の圧縮ガス分配方法で利用可能なステップを示す。
【図１ｆ】図１ａ〜ｙは、第２の圧縮ガス分配方法で利用可能なステップを示す。
【図１ｇ】図１ａ〜ｙは、第２の圧縮ガス分配方法で利用可能なステップを示す。
【図１ｈ】図１ａ〜ｙは、第２の圧縮ガス分配方法で利用可能なステップを示す。
【図１ｉ】図１ａ〜ｙは、第２の圧縮ガス分配方法で利用可能なステップを示す。
【図１ｊ】図１ａ〜ｙは、第２の圧縮ガス分配方法で利用可能なステップを示す。
【図１ｋ】図１ａ〜ｙは、第２の圧縮ガス分配方法で利用可能なステップを示す。
【図１ｌ】図１ａ〜ｙは、第２の圧縮ガス分配方法で利用可能なステップを示す。
【図１ｍ】図１ａ〜ｙは、第２の圧縮ガス分配方法で利用可能なステップを示す。
【図１ｎ】図１ａ〜ｙは、第２の圧縮ガス分配方法で利用可能なステップを示す。
【図１ｏ】図１ａ〜ｙは、第２の圧縮ガス分配方法で利用可能なステップを示す。
【図１ｐ】図１ａ〜ｙは、第２の圧縮ガス分配方法で利用可能なステップを示す。
【図１ｑ】図１ａ〜ｙは、第２の圧縮ガス分配方法で利用可能なステップを示す。
【図１ｒ】図１ａ〜ｙは、第２の圧縮ガス分配方法で利用可能なステップを示す。
【図１ｓ】図１ａ〜ｙは、第２の圧縮ガス分配方法で利用可能なステップを示す。
【図１ｔ】図１ａ〜ｙは、第２の圧縮ガス分配方法で利用可能なステップを示す。
【図１ｕ】図１ａ〜ｙは、第２の圧縮ガス分配方法で利用可能なステップを示す。
【図１ｖ】図１ａ〜ｙは、第２の圧縮ガス分配方法で利用可能なステップを示す。
【図１ｗ】図１ａ〜ｙは、第２の圧縮ガス分配方法で利用可能なステップを示す。
【図１ｘ】図１ａ〜ｙは、第２の圧縮ガス分配方法で利用可能なステップを示す。
【図１ｙ】図１ａ〜ｙは、第２の圧縮ガス分配方法で利用可能なステップを示す。
【図２ａ】図２ａ〜ｊは、第３の圧縮ガス分配方法で利用可能なステップを示す。
【図２ｂ】図２ａ〜ｊは、第３の圧縮ガス分配方法で利用可能なステップを示す。
【図２ｃ】図２ａ〜ｊは、第３の圧縮ガス分配方法で利用可能なステップを示す。
【図２ｄ】図２ａ〜ｊは、第３の圧縮ガス分配方法で利用可能なステップを示す。
【図２ｅ】図２ａ〜ｊは、第３の圧縮ガス分配方法で利用可能なステップを示す。
【図２ｆ】図２ａ〜ｊは、第３の圧縮ガス分配方法で利用可能なステップを示す。
【図２ｇ】図２ａ〜ｊは、第３の圧縮ガス分配方法で利用可能なステップを示す。
【図２ｈ】図２ａ〜ｊは、第３の圧縮ガス分配方法で利用可能なステップを示す。
【図２ｉ】図２ａ〜ｊは、第３の圧縮ガス分配方法で利用可能なステップを示す。
【図２ｊ】図２ａ〜ｊは、第３の圧縮ガス分配方法で利用可能なステップを示す。
【図３】図３は、図２ａ〜ｊの移動式圧縮ガス貯蔵装置を置き換えることができる第２の移動式圧縮ガス貯蔵装置を示す。
【図４ａ】図４ａ〜ｌは、第４の圧縮ガス分配方法で利用可能なステップを示す。
【図４ｂ】図４ａ〜ｌは、第４の圧縮ガス分配方法で利用可能なステップを示す。
【図４ｃ】図４ａ〜ｌは、第４の圧縮ガス分配方法で利用可能なステップを示す。
【図４ｄ】図４ａ〜ｌは、第４の圧縮ガス分配方法で利用可能なステップを示す。
【図４ｅ】図４ａ〜ｌは、第４の圧縮ガス分配方法で利用可能なステップを示す。
【図４ｆ】図４ａ〜ｌは、第４の圧縮ガス分配方法で利用可能なステップを示す。
【図４ｇ】図４ａ〜ｌは、第４の圧縮ガス分配方法で利用可能なステップを示す。
【図４ｈ】図４ａ〜ｌは、第４の圧縮ガス分配方法で利用可能なステップを示す。
【図４ｉ】図４ａ〜ｌは、第４の圧縮ガス分配方法で利用可能なステップを示す。
【図４ｊ】図４ａ〜ｌは、第４の圧縮ガス分配方法で利用可能なステップを示す。
【図４ｋ】図４ａ〜ｌは、第４の圧縮ガス分配方法で利用可能なステップを示す。
【図４ｌ】図４ａ〜ｌは、第４の圧縮ガス分配方法で利用可能なステップを示す。
【発明を実施するための形態】
【００５６】
本開示は、圧縮ガスを受入容器に分配するための方法及び装置に関する。圧縮ガスは、天然ガスであってもよい。圧縮ガスは水素であってもよく、受入容器は、自動車、トラック、バス、フォークリフト、または他の車両のような車両の水素貯蔵タンクであってもよい。本明細書で使用される圧縮ガスという用語は、ガス及び超臨界流体を含む。
【００５７】
欧州特許第２１７４０５７Ｂ１号は、水素源からの水素を車両に搭載された受入容器に分配するためのそのような方法の１つを開示している。本開示は、多数の様々な代替分配方法を記載する。
【００５８】
これらの方法を図面を参照して説明する。太い線は、様々なステップ中の圧縮ガスの経路を示す。
【００５９】
本明細書で使用される「１つ（ａ及びａｎ）」は、明細書及び特許請求の範囲に記載される本発明の実施形態の任意の特徴に適用される場合、１つまたは複数を意味する「１つ（ａ及びａｎ）」の使用は、そのような制限が具体的に述べられていない限り、単一の特徴である。先行する単数または複数の名詞または名詞句の前の「その（前記）」という冠詞は、１つの特別な指定された特徴または複数の特別な指定された特徴を示し、それが使用される状況に応じて単数または複数の意味を有することができる。
【００６０】
形容詞「任意の」は、何らかの量を無差別に１つ、いくつか、またはすべてを意味する。
【００６１】
第１の構成要素と第２の構成要素との間に置かれる「及び／または」という用語は、（１）第１の構成要素のみ、（２）第２の構成要素のみ、及び（３）第１の構成要素及び第２の構成要素の意味のうちいずれかを含む。３つ以上の構成要素のリストの最後の２つの構成要素の間に配置される「及び／または」という用語は、このリストの構成要素の任意の特定の組み合わせを含む、リスト内の構成要素のうちの少なくとも１つを意味する。例えば、「Ａ、Ｂ、及び／またはＣ」は、「Ａ、及び／またはＢ、及び／またはＣ」と同じ意味を有し、Ａ、Ｂ、及びＣの以下の組み合わせを含む：（１）Ａのみ、（２）Ｂのみ、（３）Ｃのみ、（４）Ａ及びＢ、かつＣではない、（５）Ａ及びＣ、かつＢではない、（６）Ｂ及びＣ、かつＡではない、ならびに（７）Ａ及びＢ及びＣ。
【００６２】
特徴または構成要素のリストに先行する句「少なくとも１つ」は、構成要素のリスト内の１つまたは複数の特徴または構成要素を意味するが、構成要素のリスト内に具体的に列挙された各構成要素及び構成要素のうちの少なくとも１つを必ずしも含まないことを意味し、構成要素のリスト内の構成要素の任意の組み合わせを排除するものではない。Ａ、Ｂ、またはＣのうち少なくとも１つ」（または「Ａ、Ｂ及びＣのうち少なくとも１つ」または同等に「Ａ、Ｂ、及び／またはＣのうちの少なくとも１つ」）「Ａ、及び／またはＢ、及び／またはＣ」を意味し、Ａ、Ｂ、及びＣの以下の組み合わせを含む：（１）Ａのみ、（２）Ｂのみ、（３）Ｃのみ、（４）Ａ及びＢ、かつＣではない、（５）Ａ及びＣ、かつＢではない、（６）Ｂ及びＣ、かつＡではない、ならびに（７）Ａ及びＢ及びＣ。
【００６３】
用語”複数”は、”２つ以上”を意味する。
【００６４】
本明細書で使用されるように、「第１」、「第２」、「第３」などは、複数のステップ及び／または特徴の中で区別するために使用され、総数、または時間及び／または空間を示さない。
【００６５】
用語「移動」及び「固定」は、それらの通常の意味を有する。例えば、移動式貯蔵容器は、（圧縮ガス及び／または液体）供給倉庫から分配ステーションまで搬送され、その後流体（圧縮ガスまたは液体）が十分に枯渇した後に再充填のために戻される貯蔵容器である。固定式貯蔵容器は、通常の運転の過程で固定された貯蔵容器が供給倉庫に搬送されない分配ステーションに固定された貯蔵容器である。固定式貯蔵容器は、供給倉庫から液体または圧縮ガスで搬送され、固定式貯蔵容器に荷を降ろされる別の移動式貯蔵装置から充填される。供給倉庫は、圧縮ガス及び／または液体を製造するための生産設備に配置されてもよく、またはバルク貯蔵施設であってもよい。バルク貯蔵施設を、パイプラインまたは他の手段によって供給することができる。供給倉庫は、圧縮されたガス及び／または液体を対応する移動式貯蔵装置に供給することができる。
【００６６】
本明細書で使用される圧力は、特別な記述がない限り、ゲージ圧力である。
【００６７】
本方法は、周知のカスケード分配方法を使用する。カスケード分配では、圧縮ガスは複数の供給容器から連続的に受入容器に分配され、それぞれの後続の供給容器はそこに含まれる圧縮ガスの圧力がますます高くなる。
【００６８】
カスケード分配は、例えば、参考文献として本明細書に組み入れられる、米国特許第５，４０６，９８８号、米国特許第６，７７９，５６８号、米国特許第６，７８６，２４５号、米国特許第８，１５６，９７０Ｂ２号、米国特許第８，４５３，６８２Ｂ２号、米国特許第８，８９９，２７８Ｂ２号及び欧州特許第２１７４０５７Ｂ１号に記載されている。
【００６９】
その様々なステップ及び任意のステップを伴う第１の方法は、図１ａ〜ｙに記載されている。図１ａ〜ｙは、第１の方法を実施するための例示的なプロセスフロー図を示している。図示されたライン及びバルブは例示に過ぎず、様々な構成を使用して第１の方法を実施することができる。ガスの量は様々なステップを経て移送される。
【００７０】
分配システムは、圧縮ガス用の任意の適切な高圧源とすることができる高圧ガス源１１４を含む。水素分配の場合、高圧ガス源１１４は、水素チューブトレーラー等であってもよい。第１の方法は、チューブトレーラーのような比較的高圧の水素源に特に適している。高圧ガス源１１４は、移動式であってもよく、これは、高圧ガス源１１４が圧縮ガス倉庫で充填され、圧縮ガス分配ステーションに運ばれ、分配ステーションで荷を降ろされ、次いで再充填のために圧縮ガス倉庫に再度戻される。
【００７１】
分配システムは、第１の複数の貯蔵容器１０２、１０３を備える。２つの貯蔵容器のみが示されているが、第１の複数の貯蔵容器１０２、１０３は、任意の数の高圧貯蔵容器を含むことができる。高圧貯蔵容器１０２、１０３は、例えば５０ＭＰａの最大圧力定格を有することができる。第１の複数の貯蔵容器１０２、１０３は、圧縮ガス分配ステーションに固定されてもよい。第１の複数の貯蔵容器１０２、１０３は、分配ステーションに固定されるように意図され、第１の複数の貯蔵容器自体が再充填のために圧縮ガス倉庫に搬送されるのではなく、ガス源から第１の複数の貯蔵容器に圧縮ガスが移送される。
【００７２】
分配システムは、また、第２の複数の貯蔵容器１０４を備える。第２の複数の貯蔵容器１０４は、任意の数の高圧貯蔵容器を含むことができる。第２の複数の貯蔵容器は、例えば９０ＭＰａの最大圧力定格を有することができる。第２の複数の貯蔵容器１０４は、圧縮ガス分配ステーションに固定されてもよい。第１の複数の貯蔵容器１０４は、分配ステーションに固定されるように意図され、第２の複数の貯蔵容器自体が再充填のために圧縮ガス倉庫に搬送されるのではなく、ガス源から第２の複数の貯蔵容器に圧縮ガスが移送される。
【００７３】
分配システムはまた、単段圧縮機、多段圧縮機、または複数の圧縮機であり得るガス圧縮手段１０５を備える。
【００７４】
第１の方法では、第１の複数の貯蔵容器１０２、１０３は、高圧ガス源１１４から圧縮ガスを充填または再充填することができる。
【００７５】
高圧ガス源１１４は、例えばチューブトレーラーの場合のように高圧の圧縮ガスを含む複数の貯蔵容器を備えていてもよい。完全に充填された状態では、ガス源１１４の貯蔵容器は、少なくとも３０ＭＰａ、または少なくとも４０ＭＰａ、または５０ＭＰａの圧力で圧縮ガスを含むことができる。高圧ガス源１１４の貯蔵容器は、第１の複数の貯蔵容器のための少なくとも最高圧力定格と同じくらい高いそれぞれの圧力の圧縮ガスを含むことができる。
【００７６】
図１ａに示すように、第１の複数の貯蔵容器の第１の貯蔵容器１０２は、高圧ガス源１１４の貯蔵容器の１つ以上と第１の複数の貯蔵容器の第１の貯蔵容器１０２との間の圧力差を用いることで高圧ガス源１１４から充填することができる。
【００７７】
本明細書で使用されるように、「圧力差を使用する」圧縮ガスの移送は、圧縮ガスを供給して受ける容器内の圧縮ガスの圧力差が、圧縮ガスを供給する容器から圧縮ガスを受ける容器に圧縮ガスを移送するための唯一の駆動力であることを意味する。圧縮ガスの移送には圧縮機等は使用されない。
【００７８】
圧縮ガスの移送は、高圧ガス源１１４の貯蔵容器の１つ以上と第１の複数の貯蔵容器の第１の貯蔵容器１０２との間の圧力差が所望の量に減少するまで継続されてもよい。圧縮ガスを高圧ガス源１１４から第１の複数の貯蔵容器の第１の貯蔵容器１０２に移送するために圧縮機は使用されない。第１の方法の分配システムを、ガス圧縮手段１０５が高圧ガス源１１４からの圧縮ガスを圧縮し、圧縮ガスをガス圧縮手段から第１の複数の貯蔵容器の第１の貯蔵容器１０２に移送するのに適さないように動作可能に構成することができる。高圧ガス源１１４の１つ以上の容器内の圧力と第１の貯蔵容器１０２内の圧力との圧力差によってのみ、圧縮ガスを高圧ガス源１１４から第１の貯蔵容器１０２に移送することができ、圧力差は、圧縮ガスの移送のための駆動力である。
【００７９】
図１ｂに示すように、圧縮ガスを高圧ガス源１１４から第１の貯蔵容器１０２に充填しながら、圧縮ガスを、高圧ガス源１１４からガス圧縮手段１０５に、かつガス圧縮手段１０５から第２の複数の貯蔵容器１０４のうちの１つ以上に同時に通すことができる。
【００８０】
第１の方法における好ましいステップを図１ｃに示す。このステップでは、圧縮ガスが第１の貯蔵容器１０２に充填されている間に、圧縮ガスがガス源１１４から受入容器１１１に同時に分配される。これは、分配ステーションがオフラインにされ、貯蔵容器がガス源１１４から充填されているときに容器を受け入れるためには使用されないという従来技術の方法における問題を解決する。
【００８１】
図１ｄは、貯蔵容器がガス源１１４から充填されているときに、分配ステーションがオフラインにされ容器を受け入れるために使用されない従来技術の方法の問題も解決する、第１の方法における追加のまたは代替の好ましいステップを示す。この工程は、圧縮ガスが第１の貯蔵容器１０２に充填され、圧縮手段１０５を介して第２の複数の貯蔵容器１０４の１つ以上に充填されている間に、同時に圧縮ガスがガス源１１４から受入容器１１１分配されている。
【００８２】
第１の複数の貯蔵容器の追加の貯蔵容器は、図１ｅに示すように高圧ガス源１１４から充填することができる。第１の複数の貯蔵容器のうちの第２の貯蔵容器１０３を、高圧ガス源１１４の貯蔵容器の１つ以上と第１の複数の貯蔵容器の第２の貯蔵容器１０３との間の圧力差を用いることで高圧ガス源１１４から充填することができる。圧縮ガスの移送は、高圧ガス源１１４の貯蔵容器の１つ以上と第１の複数の貯蔵容器の第２の貯蔵容器１０３間の圧力差が所望の量に減少するまで継続され得る。高圧ガス源１１４から第１の複数の貯蔵容器の第２の貯蔵容器１０３に移送するために圧縮機は使用されない。第１の方法の分配システムを、ガス圧縮手段１０５が高圧ガス源１１４からの圧縮ガスを圧縮し、圧縮ガスをガス圧縮手段から第２の貯蔵容器１０３に移送するのに適さないように動作可能に構成することができる。高圧ガス源１１４の１つ以上の容器内の圧力と第２の貯蔵容器１０３内の圧力との圧力差によってのみ、圧縮ガスを高圧ガス源１１４から第２の貯蔵容器１０３に移送することができ、圧力差は、圧縮ガスの移送のための駆動力である。
【００８３】
高圧ガス源１１４から第１の複数の貯蔵容器の任意に移送するために圧縮機は使用されない。第１の方法の分配システムを、ガス圧縮手段１０５が高圧ガス源１１４からの圧縮ガスを圧縮し、圧縮ガスをガス圧縮手段から第１の貯蔵容器の任意に移送するのに適さないように動作可能に構成することができる。
【００８４】
図１ｆは、貯蔵容器がガス源１１４から充填されているときに、分配ステーションがオフラインにされ容器を受け入れるために使用されない従来技術の方法の問題も解決する、第１の方法における追加のまたは代替の好ましいステップを示す。この工程では、圧縮ガスが第１の複数の貯蔵容器の第２の貯蔵容器１０３に充填されている間に、同時に圧縮ガスがガス源１１４から受入容器１１１分配されている。
【００８５】
図１ｇは、貯蔵容器がガス源１１４から充填されているときに、分配ステーションがオフラインにされ容器を受け入れるために使用されない従来技術の方法の問題も解決する、第１の方法における追加のまたは代替の好ましいステップを示す。この工程では、圧縮ガスが第１の複数の貯蔵容器の第２の貯蔵容器１０３に充填され、圧縮手段１０５を介して第２の複数の貯蔵容器１０４の１つ以上に充填されている間に、同時に圧縮ガスがガス源１１４から受入容器１１１分配されている。
【００８６】
図１ｈに示すように、圧縮ガスを高圧ガス源１１４から第２の貯蔵容器１０３に充填しながら、圧縮ガスを、高圧ガス源１１４からガス圧縮手段１０５に、かつガス圧縮手段１０５から第２の複数の貯蔵容器１０４のうちの１つ以上に同時に通すことができる。
【００８７】
受入容器１１１への分配が所望され、高圧ガス源１１４に搭載された１つ以上の貯蔵容器内の圧縮ガスの圧力が十分である場合、高圧ガス源１１４が存在すれば、図１ｉに示すように、圧縮ガスを高圧ガス供給源１１４から受入容器１１１に分配することができる。
【００８８】
圧縮ガスは、圧縮ガス分配ステーションで固定式圧縮ガス貯蔵部から分配されてもよい。図１ｊに示すように、圧縮ガスは、第１の複数の貯蔵容器の第１の貯蔵容器１０２から受入容器１１１に分配されてもよい。圧縮ガスを、第１の複数の貯蔵容器の第１の貯蔵容器１０２から、第１の貯蔵容器１０２と受入容器１１１との間の圧力差を用いることで圧縮機を使用することなく移送することができる。圧縮ガスの移送は、２つの容器間の圧力差が所望の量に減少するまで継続することができる。
【００８９】
図１ｋに示すように、圧縮ガスが第１の複数の貯蔵容器のうちの第１の貯蔵容器１０２から受入容器１１１に分配されている間に、高圧ガス源１１４内の圧縮ガスの圧力が十分であれば、圧縮ガスを高圧ガス源１１４から同時に分配することができる。
【００９０】
図１ｌに示すように、圧縮ガスが第１の複数の貯蔵容器の第１の貯蔵容器１０２から受入容器１１１に分配され、圧縮ガスが高圧ガス源１１４から同時に分配される間に、高圧ガス源１１４からの圧縮ガスを圧縮して第２の複数の貯蔵容器１０４の１つ以上に充填することができる。
【００９１】
圧縮ガスが第１の複数の貯蔵容器の第１の貯蔵容器１０２から受入容器１１１に分配されている間、第１の複数の貯蔵容器の第１の貯蔵容器１０２からの圧縮ガスもガス圧縮手段１０５で圧縮され、図１ｍに示すように、第２の複数の貯蔵容器１０４の貯蔵容器の一つ以上に送ることができる。
【００９２】
圧縮ガスが第１の複数の貯蔵容器の第１の貯蔵容器１０２から分配されていないときでも、第１の複数の貯蔵容器の第１の貯蔵容器１０２からの圧縮ガスはガス圧縮手段１０５で圧縮され、図１ｎに示すような第２の複数の貯蔵容器１０４に送ることができる。
【００９３】
カスケード充填技術に従って、圧縮ガスを、図１ｏに示すように、第１の複数の貯蔵容器の第２の貯蔵容器１０３から受入容器１１１に分配することができる。受入容器１１１への分配開始時の第２の貯蔵容器１０３は、受入容器１１１への分配の終了時の第１の貯蔵容器１０２よりも高い圧力の圧縮ガスを含む。
【００９４】
圧縮機を使用することなく、第２の貯蔵容器１０３と受入容器１１１との間の圧力差を用いることで第１の複数の貯蔵容器の第２の貯蔵容器１０３から圧縮ガスを移送することができる。圧縮ガスの移送は、２つの容器間の圧力差が所望の量に減少するまで継続することができる。
【００９５】
高圧源１１４内の圧縮ガスの圧力が十分に高い場合、図１ｐに示すように、高圧ガス源１１４からの圧縮ガスを、第１の複数の貯蔵容器の第２の貯蔵容器１０３からの圧縮ガスと混合し、受入容器１１１に充填することができる。図１ｑに示すように、高圧源１１４からの圧縮ガスを、ガス圧縮手段１０５にさらに送り、次いで第２の複数の貯蔵容器１０４の１つ以上に充填してもよい。
【００９６】
図１ｒに示すように、圧縮ガスが第１の複数の貯蔵容器の第２の貯蔵容器１０３から分配されている間に、第１の複数の貯蔵容器の第２の貯蔵容器１０３からの圧縮ガスがガス圧縮手段１０５に供給され、ガス圧縮手段からのガスは、第２の複数の貯蔵容器１０４の１つ以上に送られる。高圧の圧縮ガスを有する第２の貯蔵容器１０３からの圧縮ガスを使用することは、第２の複数の貯蔵容器１０４のうちの少なくとも１つの中ではるかに高い圧力を維持する能力を助長する。
【００９７】
圧縮ガスが第１の複数の貯蔵容器の第２の貯蔵容器１０３から分配されていないときでも、第１の複数の貯蔵容器の第２の貯蔵容器１０３からの圧縮ガスはガス圧縮手段１０５で圧縮され、図１ｓに示すように第２の複数の貯蔵容器１０４の貯蔵容器の１つ以上に送ることができる。
【００９８】
分配方法は、第１の複数の貯蔵容器の他の貯蔵容器を使用して対応するステップを進めることができる。第１の複数の貯蔵容器のうちの１つからの分配の間に、圧縮ガスは、第１の複数の貯蔵容器のうちの２つ以上から同時に引き出されることはない。圧縮機は、第１の複数の貯蔵容器のうちの別の貯蔵容器からの分配のいずれかの部分の間に、第１の複数の貯蔵容器のいずれかを含むガス源から受入タンク１１１に圧縮ガスを供給しない。
【００９９】
図１ｔに示すように、第１の複数の貯蔵容器の第２の貯蔵容器１０３からの圧縮ガスをガス圧縮手段１０５で圧縮して受入容器１１１に送ることができる。
【０１００】
高圧源１１４内の圧縮ガスの圧力が利用可能で適切である場合、高圧ガス源１１４からの圧縮ガスを、第１の複数の貯蔵容器の第２の貯蔵容器１０３からの圧縮ガスと混合し、ガス圧縮手段１０５で圧縮され、図１ｕに示すように、受入容器１１１に充填することができる。
【０１０１】
次に、受入容器１１１のカスケード充填は、図１ｖに示すように、第２の複数の貯蔵容器１０４のうちの１つ以上から分配することで継続することができる。第２の複数の貯蔵容器１０４がいくつあるかに応じて、１つ以上のカスケード充填ステップを実行することができる。
【０１０２】
図１ｗに示すように、圧縮ガスが第２の複数の貯蔵容器１０４のうちの１つ以上の貯蔵容器から受入容器１１１に分配されている間、圧縮ガスは、ガス圧縮手段１０５を介して第１の複数の貯蔵容器の第２の貯蔵容器１０３から受入容器１１１に同時に分配される。
【０１０３】
高圧源１１４内の圧縮ガスの圧力が利用可能かつ適切である場合、図１ｘに示すように、第２の複数の貯蔵容器１０４の貯蔵容器のうちの１つ以上から受入容器１１１に圧縮ガスが分配されている間、圧縮ガスは、ガス圧縮手段１０５を介して高圧ガス源１１４から受入容器１１１に同時に分配されてもよい。
【０１０４】
第１の複数の貯蔵容器の第２の貯蔵容器１０３内の圧力が適切であり、高圧ガス源１１４内の圧縮ガスの圧力が利用可能かつ適切である場合、第２の貯蔵容器１０３及び高圧ガス源１１４からの圧縮ガスは混合され、ガス圧縮手段１０５で圧縮され、図１ｙに示すように、第２の複数の貯蔵容器１０４の貯蔵容器の１つ以上からの圧縮ガスにより同時に受入容器１１１に充填される。
【０１０５】
この第１の方法の間に、ガス圧縮手段１０５によって供給源として使用される第２の複数の貯蔵容器１０４からの圧縮ガスは存在することはない。ガス圧縮手段１０５によって貯蔵容器からの圧縮ガスが供給源として使用されないこの特徴は、第１の複数の貯蔵容器１０２、１０３からの第２の複数の貯蔵容器１０４を特徴付ける。
【０１０６】
第１の方法の好ましい実施形態では、図１ｂ、１ｄ、１ｇ、１ｈ、１ｌ、１ｍ、１ｎ、１ｑ、１ｒ、及び１ｓに示すステップの１つ以上に従って、第１の複数の貯蔵容器１０２、１０３またはガス源１１４のうちの少なくとも１つからの第１の量のガスが、圧縮機１０５を介して第２の複数の貯蔵容器１０４のうちの少なくとも１つの貯蔵容器に移送される。
【０１０７】
第１の方法の好ましい実施形態では、第２の量のガスを、ガス源１１４から第１の複数の貯蔵容器１０２、１０３の貯蔵容器に、ガス源１１４内のガスとガス源１１４内のガスとの間の圧力差を用いることで移送して、第２の量のガスが移送され、同時に、ガス源１１４から受入容器１１１に、ガス源１１４内のガスと受入容器１１１内のガスとの間の対応する圧力差を用いることで移送して、第３の量のガスを移送する。これは、図１ｃ、１ｄ、１ｆ、及び１ｇに示す１つまたは複数のステップに従って達成されてもよい。
【０１０８】
図１ｄ及び１ｇに示すように、第１の量のガスの移送は、第２の量と第３の量のガスの移送と同時であってもよい。
【０１０９】
第１の方法の好ましい実施形態では、の第４の量のガスが、第２の複数の貯蔵容器１０４のうちの少なくとも１つの貯蔵容器から受入容器１１１に第２の複数の貯蔵容器１０４のうちの少なくとも１つの貯蔵容器のガスと受入容器１１１内のガスとの間の圧力差を用いることで移送して、第４の量のガスが移送される。これは、図１ｖ、１ｗ、１ｘ及び１ｙに示す１つまたは複数のステップに従って達成されてもよい。
【０１１０】
第１の方法は、第５の量のガスを、第１の複数の貯蔵容器の第２の貯蔵容器１０３から受入容器１１１に第１の複数の貯蔵容器の第２の貯蔵容器１０３内のガスと受入容器１１１のガスの間の圧力差を用いることで移送して、第５の量のガスを移送することを含む。これは、図１ｏ、１ｐ、１ｑ、及び１ｒに示す１つまたは複数のステップに従って達成されてもよい。
【０１１１】
第２の貯蔵容器１０３からの第５の量のガスの移送に続いて、第１の方法は、圧力差によって第２の複数の貯蔵容器１０４の貯蔵容器から受入容器への第４の量のガスの移送と同時に、圧縮機１０５を介して第２の貯蔵容器１０３から受入容器１１１へ第６の量のガスを移送することを含むことができる。これは、図１ｗ及び１ｙに示す１つ以上のステップに従って達成されてもよい。
【０１１２】
その様々なステップ及び任意のステップを伴う第２の方法が、図２ａ〜ｊに記載されている。また、図２ａ〜ｊは、第２の方法を実施するための例示的なプロセスフロー図を示す。示された配管及び弁は例示的なものに過ぎず、様々な構成を使用して第２の方法を実施することができる。ガスの量は様々なステップを経て移送される。
【０１１３】
第２の方法は、圧縮ガス分配ステーションにおいて１つ以上の受入容器にガスを分配する方法である。１つまたは複数の受入容器は、様々なタイプの輸送車両に搭載された燃料タンクであってもよい。
【０１１４】
第２の方法を実行するための分配ステーションは、複数の貯蔵容器２０２、２０３を備える移動式圧縮ガス貯蔵装置２１０を備える。２つのみが示されているが、複数の貯蔵容器２０２、２０３は任意の所望の数の高圧貯蔵容器を含むことができる。複数の貯蔵容器２０２、２０３のそれぞれは、対応する貯蔵容器内のガスと受入容器２１１内のガスとの間の圧力差を用いることでそれぞれの対応する貯蔵容器から受入容器２１１へガスを分配するために関連付けられた制御弁２２０（２０２用）、２３０（２０３用）を有する。次に、ガスは、貯蔵容器２０２内のガスと受入容器２１１内のガスとの間の圧力差を用いることで貯蔵容器２０２に関連付けられた制御弁２２０を介して貯蔵容器２０２から受入容器２１１に分配され、ガスは、貯蔵容器２０３内のガスと受入容器２１１内のガスとの間の圧力差を用いることで貯蔵容器２０３に関連付けられる制御弁２３０を介して貯蔵容器２０３から受入容器２１１に分配され得る。対応する貯蔵容器内の圧縮ガスの圧力が高いほど、より低い圧力、すなわちガスが移送される対応する貯蔵容器内の圧縮ガスの圧力より低い圧力の圧縮ガスを有する受入容器に圧縮ガスを移送させるための駆動力を提供する。対応する貯蔵容器から受入容器に圧縮ガスを移送するために圧縮機は使用されない。受入容器に動作可能に接続された分配ステーションの分配ノズルを出るガスの圧力は、受入容器におけるガスの圧力とほぼ等しいので、対応する貯蔵容器内のガスと分配ステーションの分配ノズルを出るガスとの間の圧力差を用いることでガスが分配されると、等価的に記述することができる。
【０１１５】
複数の貯蔵容器２０２、２０３は、任意の数の高圧貯蔵容器を含むことができる。高圧貯蔵容器２０２、２０３は、例えば５０ＭＰａまたは９０ＭＰａの最大圧力定格を有することができる。移動式圧縮ガス貯蔵装置２１０は移動式であると言うことは、移動式圧縮ガス貯蔵装置２１０が圧縮ガス倉庫で充填され、圧縮ガス分配ステーションに持ち込まれ、圧縮ガス分配ステーションで圧縮ガスの供給源として使用され、圧縮ガスが選択された枯渇レベルまで枯渇された後圧縮ガス倉庫に再び戻って圧縮ガスで再充填されることを意味する。移動式圧縮ガス貯蔵装置上の高圧圧縮ガスを有する貯蔵容器の使用は、分配ステーションにおけるガス圧縮機への依存を低減し、分配ステーションにおけるガス圧縮機の関連する電力要件を低減するという利点を提供する。
【０１１６】
移動式圧縮ガス貯蔵装置２１０は、圧縮ガスが枯渇したとき、図３に示す別の移動式圧縮ガス貯蔵装置２１０’と容易に交換できるように設計され構成されてもよい。第２の移動式圧縮ガス貯蔵装置２１０’は、複数の貯蔵容器２０２’、２０３’、パイプ、弁２２０’、２２２’、２３０’、２３２’及びこれに関連付けられるコネクタを有する。対応する貯蔵容器、パイプ、バルブ、及びコネクタを有する追加の同様の移動式圧縮ガス貯蔵装置２１０’’なども、分配ステーションに容易に入れ替えられるように構成されてもよい。
【０１１７】
分配ステーションは、一度に、かつ受入容器へのカスケード分配の際に、複数の移動式圧縮ガス貯蔵装置２１０を使用して操作することができ、米国特許第８，４５３，６８２号に記載されているように複数の移動式圧縮ガス貯蔵装置を受入容器に分配する際に取り出すことができる。
【０１１８】
移動式圧縮ガス貯蔵装置２１０、２１０’等は、圧縮ガスで充電された圧縮ガス分配ステーションに到着する。
【０１１９】
分配ステーションは、固定式分配ステーション構成要素を備える。固定式分配ステーション構成要素は、圧縮手段２０５と、１つ以上の固定式貯蔵容器２０４とを備える。
【０１２０】
圧縮手段は、単段圧縮機、多段圧縮機、または複数圧縮機であってもよい。圧縮手段２０５は、移動式圧縮ガス貯蔵装置２１０の複数の貯蔵容器のそれぞれからのガス及び／または液体源２５０からのガスを受け取るように動作可能に配設される。圧縮手段２０５は、移動式圧縮ガス貯蔵装置２１０及び／または移動式圧縮ガス貯蔵装置２１０の複数の貯蔵容器のそれぞれからのガス及び／または液体源２５０からのガスを受け取るため移動式圧縮ガス貯蔵装置２１０及び／または液体源２５０に動作可能に接続されもしくはされることができる。
【０１２１】
１つ以上の固定式の貯蔵容器２０４は、圧縮手段２０５からガスを受け取るように動作可能に配設され、受入容器２１１にガスを分配するように配設される。１つ以上の固定式の貯蔵容器２０４は、圧縮手段２０５に動作可能に接続され、受入容器２１１にガスを分配するために受入容器２１１に動作可能に接続されている。
【０１２２】
１つ以上の固定式貯蔵容器２０４は、任意の数の高圧貯蔵容器を含むことができる。１つ以上の固定式貯蔵容器は、例えば９０ＭＰａの最大圧力定格を有することができる。１つ以上の固定式貯蔵容器２０４は、圧縮ガス分配ステーションで固定される。１つ以上の移動式圧縮ガス貯蔵装置からのガスにより１つ以上の固定式貯蔵容器２０４を充填することができる。
【０１２３】
移動式圧縮ガス貯蔵装置２１０は、圧縮ガスで充填された分配ステーションに到着する。ガス圧縮手段２０５は、移動式圧縮ガス貯蔵装置２１０の貯蔵容器２０２、２０３のいずれをも充填をするために使用されない。移動式圧縮ガス貯蔵装置２１０の貯蔵容器２０２、２０３のいずれも分配ステーションで充填されない。
【０１２４】
受入容器２１１に分配するための複数の貯蔵容器２０２、２０３に関連付けられるすべての制御弁２２０、２３０は、移動式圧縮ガス貯蔵装置２１０上では固定されてもよい。受入容器２１１に分配するための複数の貯蔵容器に関連付けられるすべての制御弁２２０、２３０を、共通コネクタ２２５に動作可能に接続することができ、すなわち、移動式圧縮ガス貯蔵装置２１０を固定式分配ステーション構成要素に接続する共通コネクタ２２５に供給するように動作可能に配設することができる。これらの特徴は、移動式圧縮ガス貯蔵装置２１０と固定式分配ステーション構成要素との間のパイプ接続の数を減らすという利点を提供する。制御弁のそれぞれが固定式分配ステーション構成要素の一部である場合、複数の貯蔵容器のそれぞれを固定式分配ステーション構成要素に別々に接続する必要があり、それによって高圧接続の数を増やす必要がある。高圧接続の数を減らすと、ガス漏れのリスクが減少する。
【０１２５】
複数の貯蔵容器２０２、２０３のそれぞれは、ガスを対応する貯蔵容器から圧縮手段２０５に移送するために関連付けられた制御弁２２２（２０２用）、２３２（２０３用）を有することができる。次に、ガスを、貯蔵容器２０２に関連付けられる制御弁２２２を介して圧縮手段２０５に分配することができ、ガスを、貯蔵容器２０３に関連付けられた制御弁２３２を介して貯蔵容器２０３から圧縮手段２０５に分配することができる。圧縮手段２０５にガスを移送するための制御弁２２２、２３２のすべては、移動式圧縮ガス貯蔵装置２１０上では固定されてもよい。ガスを圧縮手段２０５に移送するための制御弁２２２、２３２のすべてを、共通コネクタ２３５に動作可能に接続することができ、すなわち、移動式圧縮ガス貯蔵装置２１０を固定式分配ステーション構成要素に接続する共通コネクタ２３５に供給するように動作可能に配設することができる。これらの特徴は、移動式圧縮ガス貯蔵装置２１０と固定式分配ステーション構成要素との間のパイプ接続の数を減らすという利点を提供する。制御弁のそれぞれが固定式分配ステーション構成要素の一部である場合、複数の貯蔵容器のそれぞれを固定式分配ステーション構成要素に別々に接続する必要があり、それによって高圧接続の数を増やす必要がある。高圧接続の数を減らすと、ガス漏れのリスクが減少する。
【０１２６】
圧縮ガス分配ステーションは、液体貯蔵容器２５０などの液体貯蔵源をさらに備えることができる。液体貯蔵容器２５０は、固定式液体貯蔵容器または移動式液体貯蔵容器であってもよい。
【０１２７】
液体貯蔵容器の追加により、圧縮ガス分配ステーションは利用可能な圧縮ガス貯蔵と液体貯蔵の両方を有することができる。高圧移動式圧縮ガス貯蔵装置２１０または液体貯蔵容器２５０から供給された圧縮ガスの分配を、液体または圧縮ガスの形態の貯蔵製品の経済性及び入手可能性に基づいて決定することができる。
【０１２８】
液体貯蔵容器２５０内の液体が移動式圧縮ガス貯蔵装置内の圧縮ガスよりも高コストである場合、分配ステーションは移動式圧縮ガス貯蔵装置２１０から圧縮ガスを優先的に分配することができる。移動式圧縮ガス貯蔵装置２１０内の圧縮ガスが枯渇したら、分配ステーションは液体貯蔵容器２５０からの圧縮ガスを分配することができる。
【０１２９】
液体貯蔵容器２５０は、所望の製品、例えば水素を貯蔵するための任意の適切な貯蔵容器であってもよい。液体水素を貯蔵するための貯蔵容器は周知である。液体貯蔵容器２５０は、供給トレーラーからの液体は、固定式液体貯蔵容器に荷降ろしされる固定式液体貯蔵容器であってもよい。液体貯蔵容器２５０は、移動式液体貯蔵容器自体が供給倉庫と分配ステーションとの間で前後に搬送されるトレーラー上に取り付けられた移動式液体貯蔵容器であってもよい。
【０１３０】
圧縮ガス分配ステーションはまた、ポンプまたは圧縮機であり得る流体移動装置２５５を備えることができる。流体移動装置は、液体源から１つ以上の固定式圧縮ガス貯蔵容器３１１に液体、気体、及び液体及び気体の２相混合物を圧送することができる。米国特許第５，２４３，８２１号は、適切な流体移動装置を開示している。適切な極低温水素圧縮機システムは、Ａｉｒ  Ｐｒｏｄｕｃｔｓ  ａｎｄ  Ｃｈｅｍｉｃａｌｓ、Ｉｎｃ．（ｃｆ．ｈｔｔｐ／／ｗｗｗ．ａｉｒｐｒｏｄｕｃｔｓ．ｃｏｍ／ｍｉｃｒｏｓｉｔｅ／２０１３＿ｈｙｄｒｏｇｅｎ＿ｓｕｐｐｏｒｔ／３３９６９＿ｃｒｙｏｇｅｎｉｃ＿ｈｙｄｒｏｇｅｎ＿圧縮機＿ｄｓ．ｐｄｆ）から市販されている。必要な流量と定格圧力に応じて、様々な機種（ＣＨＣ−３０００、ＣＨＣ−３０００、ＣＨＣ−６０００、ＣＨＣ−７０００、ＣＨＣ−３００００）が利用可能である。
【０１３１】
圧縮ガスは圧縮ガス分配ステーションの移動式圧縮ガス貯蔵装置２１０から分配することができる。図２ａに示すように、圧縮ガスは、移動式圧縮ガス貯蔵装置２１０の複数の貯蔵容器のうちの第１の貯蔵容器２０２から受入容器２１１に分配されてもよい。圧縮ガスを、複数の貯蔵容器の第１の貯蔵容器２０２から、第１の貯蔵容器２０２内のガスと受入容器２１１内のガスとの間の圧力差を用いることで移送して、圧縮機を使用せずに（または、圧縮機を使用せずに第１の貯蔵容器２０２内のガスと分配ノズルから出るガスとの間の圧力差を等価的に用いることで）移送することができる。圧縮ガスの移送は、２つの容器間の圧力差が所望の量に減少するまで継続することができる。
【０１３２】
圧縮ガスが移動式圧縮ガス貯蔵装置２１０の複数の貯蔵容器のうちの第１の貯蔵容器２０２から受入容器２１１に分配されている間に、複数の貯蔵容器の第１の貯蔵容器２０２からの圧縮ガスもガス圧縮手段２０５で圧縮され、図２ｂに示すように、１つ以上の固定式圧縮ガス貯蔵容器２０４に送られる。
【０１３３】
圧縮ガスが複数の貯蔵容器の第１の貯蔵容器２０２から受入容器２１１に分配されている間に、図２ｃに示すように、複数の貯蔵容器の第２の貯蔵容器２０３からの圧縮ガスをガス圧縮手段２０５で圧縮し、１つ以上の固定式圧縮ガス貯蔵容器２０４に送られる。
【０１３４】
移動式圧縮ガス貯蔵装置２１０からの圧縮ガスはガス圧縮手段２０５で圧縮され、１つ以上の固定式圧縮ガス貯蔵容器２０４内に高圧圧縮ガスを形成する。
【０１３５】
移動式圧縮ガス貯蔵装置２１０の複数の貯蔵容器のうちの第１の貯蔵容器２０２から圧縮ガスが分配されていないときでも、複数の貯蔵容器の第１の貯蔵容器２０２からの圧縮ガスをガス圧縮手段２０５で圧縮し、図２ｄに示すような１つ以上の固定式圧縮ガス貯蔵容器２０４に送られる。同様に、移動式圧縮ガス貯蔵装置２１０の複数の貯蔵容器のうちのいずれかの貯蔵容器からの圧縮ガスをガス圧縮手段２０５で圧縮し、圧縮ガスが受入容器２１１に供給されていない期間でさえ固定式圧縮ガス貯蔵容器２０４の１つ以上に送ることができる。
【０１３６】
カスケード分配技術に従って、圧縮ガスは、図２ｅに示されるように、複数の貯蔵容器の第２の貯蔵容器２０３から受入容器２１１に分配されてもよい。受入容器２１１への分配開始時の第２の貯蔵容器２０３は、受入容器２１１への分配の終了時に第１の貯蔵容器２０２よりも高い圧力の圧縮ガスを含む。
【０１３７】
圧縮ガスを、第２の貯蔵容器２０３と受入容器２１１との間の圧力差を用いることで複数の貯蔵容器の第２の貯蔵容器２０３から移送してもよい。圧縮ガスの移送は、２つの容器間の圧力差が所望の量になるまで継続することができる。
【０１３８】
分配方法は、移動式圧縮ガス貯蔵装置２１０上の複数の貯蔵容器の他の貯蔵容器を使用して対応するステップを進めることができる。移動式圧縮ガス貯蔵装置２１０の複数の貯蔵容器のうちの１つからの分配中には、圧縮ガスは両方の貯蔵容器からの圧縮ガスが受入タンク２１１に送られる移動式圧縮ガス貯蔵装置２１０の複数の貯蔵容器のうちの別のものから同時に引き出されることはない。圧縮機は、移動式圧縮ガス貯蔵装置の別の貯蔵容器からの分配の一部の間に、移動式圧縮ガス貯蔵装置の複数の貯蔵容器のいずれかを含むガス源から受入タンク２１１に圧縮ガスを供給しない。
【０１３９】
図２ｆに示すように、移動式圧縮ガス貯蔵装置２１０の複数の貯蔵容器のうちの第２の貯蔵容器２０３から圧縮ガスが分配されている間に、第１の圧縮ガス貯蔵装置の第２の貯蔵容器２０３から圧縮ガスがガス圧縮手段２０５に供給され、ガス圧縮手段２０５からの圧縮ガスは、固定式貯蔵容器２０４の１つ以上に送られる。高圧の圧縮ガスを有する第２の貯蔵容器２０３から圧縮ガスを使用することは、固定式貯蔵容器２０４のうちの少なくとも１つにおいてはるかに高い圧力を維持する能力を助長する。
【０１４０】
図２ｇに示すように、移動式圧縮ガス貯蔵装置の第２の貯蔵容器２０３からの圧縮ガスをガス圧縮手段２０５で圧縮し受入容器２１１に送ることができる。
【０１４１】
次いで、受入容器２１１のカスケード充填は、図２ｈに示すように、固定式貯蔵容器２０４の１つ以上からの分配によって継続することができる。いくつの固定式貯蔵容器２０４があるかに応じて、１つ以上のカスケード充填ステップを実行することができる。
【０１４２】
２ｉに示すように、圧縮ガスを、１つまたは複数の固定式貯蔵容器２０４から受入容器２１１に分配している間に、移動式圧縮ガス貯蔵装置の第２の貯蔵容器２０３からガス圧縮手段２０５を介して受入容器２１１へと同時に分配することができる。
【０１４３】
この第２の方法の間に、ガス圧縮手段２０５への供給源として使用される１つ以上の固定式貯蔵容器２０４からの圧縮ガスは存在することはない。貯蔵容器からの圧縮ガスがガス圧縮手段２０５によって供給源として使用されないこの特徴は、移動式圧縮ガス貯蔵装置２１０上の複数の貯蔵容器２０２、２０３からの１つ以上の固定式貯蔵容器２０４を特徴付ける特徴である。
【０１４４】
分配方法は、液体貯蔵容器２５０から供給された圧縮ガスを分配することを含むことができる。この方法は、図２ｊに示すように、液体貯蔵容器２５０から１つ以上の固定式圧縮ガス貯蔵容器２０４に圧縮機２０５または流体移動装置１１０を介して第１の量の液体を移送することを含む。液体の量は、１つ以上の固定式圧縮ガス貯蔵容器２０４において、５０ＭＰａより大きい圧力または９０ＭＰａより大きい圧力の圧縮ガスの量を形成する。
【０１４５】
流体移動装置２５５は、液体の圧力がガスよりも効率的に増加するので、液体を低温で圧送することが有利である。大量のモルの圧縮ガスは、ガスよりも低コストの装置及び低い運転コストで液体を圧送して形成することができる。流体移動装置２５５を通過した後、周囲空気と熱交換することによって、圧送された液体を加熱するために、熱交換器（図示せず）を使用することができる。技術的には、流体移動装置を出る「液体」は超臨界流体でよい。
【０１４６】
第１の量の液体を、流体移動装置２０５を介して液体貯蔵容器２５０から１つ以上の固定式貯蔵容器２０４に移送してもよく、流体移動装置２５５は液体状態の液体貯蔵容器２５０から第１の量の液体を受ける。
【０１４７】
流体移動装置２５５は、第１の量の流出液を液体または超臨界流体として排出することができ、第１の量の流出液が第１の量の液体から形成される。流体移動装置２５５からの第１の量の流出液は、加熱されて第９の量のガスを形成することができる。
【０１４８】
液体から形成された１つ以上の固定式圧縮ガス貯蔵容器２０４からの圧縮ガスは、図２ｈに示されるように受入容器に分配されてもよい。
【０１４９】
第２の方法の好ましい実施形態では、第１の量のガスを受入容器２１１に、第１の移動式圧縮ガス貯蔵装置２１０上の複数の貯蔵容器の第１の貯蔵容器２０２から、第１の貯蔵容器２０２内のガスと受入容器２１１内のガスとの間の圧力差を用いることで移送して、第１の量のガスを移送する。これを、図２ａ、２ｂ、及び２ｃに示すステップの１つ以上に従って達成することができる。
【０１５０】
第２の方法の好ましい実施形態では、第２の量のガスは、第１の移動式圧縮ガス貯蔵装置２１０上の複数の貯蔵容器の第２の貯蔵容器２０３から受入容器２１１に、第２の貯蔵容器２０３内のガスと受入容器２１１内のガスとの間の圧力差を用いることで移送して、第２の量のガスを移送する。これを、図２ｅ及び２ｆに示すステップの１つ以上に従って達成することができる。
【０１５１】
第２の方法の好ましい実施形態では、第１の移動式圧縮ガス貯蔵装置２１０上の複数の貯蔵容器のうちの少なくとも１つからの第３の圧縮ガスを、圧縮機２０５を介して１つ以上の固定式貯蔵容器２０４に移送する。これは、図２ｂ、２ｃ、２ｄ、及び２ｆに示される１以上のステップに従って達成され得る。
【０１５２】
第２の方法の好ましい実施形態では、第４の量のガスを、少なくとも１つ以上の固定式貯蔵容器２０４から受入容器２１１に、少なくとも１つ以上の固定式貯蔵容器２０４内のガスと受入容器２１１内のガスとの間の圧力差を用いることで移送して、第４の量のガスを移送し、第４の量のガスは、第３の量のガスの少なくとも一部を含む。これを、図２ｈまたは２ｉに示すステップの１つ以上に従って達成することができる。
【０１５３】
第２の方法の好ましい実施形態では、第１の移動式圧縮ガス貯蔵装置２１０が選択された枯渇レベルに枯渇された後、第１の移動式圧縮ガス貯蔵装置が再充填ステーションに搬送される。第１の移動式圧縮ガス貯蔵装置は再充填ステーションで再充填される。
【０１５４】
図３に示すように、第１の移動式圧縮ガス貯蔵装置は、分配ステーションで第２の移動式圧縮ガス貯蔵装置２１０’と置き換えられる。
【０１５５】
第２の方法の好ましい実施形態では、第５の量のガスを、第２の移動式圧縮ガス貯蔵装置２１０’上の複数の貯蔵容器の第１の貯蔵容器２０２’から第２の受入容器２１１’に、第２の移動式圧縮ガス貯蔵装置２１０’上の第１の貯蔵容器２０２’内のガスと第２の受入容器２１１’内のガスとの間の圧力差を用いることで移送して、第５の量のガスを移送する。これを、図２ａ、２ｂ及び３ｃに示すステップの１つ以上に従って達成することができ、第２の移動式圧縮ガス貯蔵装置２１０’は、対応する図の第１の移動式圧縮ガス貯蔵装置２１０を置き換え、第２の受入容器２１１’は、第１の受入容器２１１を置き換える。
【０１５６】
第２の方法の好ましい実施形態では、第６の量のガスは、第２の移動式圧縮ガス貯蔵装置２１０’上の複数の貯蔵容器の第２の貯蔵容器２０３’から第２の受入容器２１１’に、移送するため第２の移動式圧縮ガス貯蔵装置２１０’上の第２の貯蔵容器２０３’内のガスと第２の受入容器２１１’内のガスとの間の圧力差を用いることで移送して、第６の量のガスを移送する。これを、図２ｅ及び２ｆに示すステップの１つ以上に従って達成することができ、第２の移動式圧縮ガス貯蔵装置２１０’は、対応する図の第１の移動式圧縮ガス貯蔵装置２１０を置き換え、第２の受入容器２１１’は、第１の受入容器２１１を置き換える。
【０１５７】
第２の方法の好ましい実施形態では、第２の移動式圧縮ガス貯蔵装置２１０’上の複数の貯蔵容器２０２’、２０３’のうちの少なくとも１つからのガスの第７の量は、固定式貯蔵容器２０４の１つ以上に、圧縮機２０５を介して移送される。これを、図２ｂ、２ｃ、２ｄ、及び２ｆに示すステップの１つ以上に従って達成することができ、第２の移動式圧縮ガス貯蔵装置２１０’は、対応する図の第１の移動式圧縮ガス貯蔵装置２１０を置き換え、第２の受入容器２１１’は、第１の受入容器２１１を置き換える。
【０１５８】
第２の方法の好ましい実施形態では、第８の量のガスを、少なくとも１つ以上の固定式貯蔵容器２０４のうちの少なくとも１つまたは別のものから第２の受入容器２１１’に、少なくとも１つ以上の固定式貯蔵容器２０４のうちの少なくとも１つまたは別のもののガスと第２の受入容器２１１’内のガスとの間の圧力差を用いることで移送して、第８の量のガスを移送し、第８の量のガスは、第７の量のガスの少なくとも一部を含む。第８の量のガスを提供する１つ以上の固定式貯蔵容器のうちの少なくとも１つは、第４の量のガスを提供する１つ以上の固定式貯蔵容器のうちの少なくとも１つと同じであっても異なっていてもよい。これを、図２ｈ及び２ｉに示すステップの１つ以上に従って達成することができ、第２の移動式圧縮ガス貯蔵装置２１０’は、対応する図の第１の移動式圧縮ガス貯蔵装置２１０を置き換え、第２の受入容器２１１’は、第１の受入容器２１１を置き換える。
【０１５９】
第２の方法のさらなる実施形態では、液体貯蔵容器２５０からの第１の量の液体は、圧縮機２０５または流体移動装置２５５を介して１つ以上の固定式圧縮ガス貯蔵容器２０４に移送され、それによって、１つ以上の固定式圧縮ガス貯蔵容器２０４に第９の量のガスを形成することができる。これを、図２ｊに示されるステップに従って達成することができる。
【０１６０】
第２の方法のさらなる実施形態では、第１０の量のガスを、第２の移動式圧縮ガス貯蔵装置２１０’の複数の貯蔵容器の１つ以上から第３の受入容器２１１’’に、第２の移動式圧縮ガス貯蔵装置上の複数の貯蔵容器内のガスと第３の受入容器２１１’内のガスとの間の圧力差を用いることで移送して、第１０の量のガスを移送する。これを、図２ｅ及び２ｆに示されるステップに従って達成することができ、第２の移動式圧縮ガス貯蔵装置２１０’は、対応する図の第１の移動式圧縮ガス貯蔵装置２１０を置き換え、第３の受入容器２１１’’は、第１の受入容器２１１を置き換える。
【０１６１】
第２の方法のさらなる実施形態では、第１０の量のガスの移送に続いて、第１１の量のガスを、第１１の量のガスを移送するため１つ以上の固定式圧縮ガス貯蔵容器２０４のうちの少なくとも１つから第３の受入容器２１１’ ’に移送し、ここで、第１１の量のガスは、第９の量のガスの少なくとも一部（すなわち、液体から形成される）を含む。これを、図２ｈ及び２ｉに示されるステップに従って達成することができ、第２の移動式圧縮ガス貯蔵装置２１０’は、対応する図の第１の移動式圧縮ガス貯蔵装置２１０を置き換え、第３の受入容器２１１’’は、第１の受入容器２１１を置き換える。
【０１６２】
第２の移動式圧縮ガス貯蔵装置２１０’に取り付けられた貯蔵容器のそれぞれまたはすべての貯蔵容器内のガスの圧力が第３の受入容器２１１’’内のガスの目標最終圧力を提供するには不十分であると判断されるときに、１つ以上の固定式圧縮ガス貯蔵容器２０４のうちの少なくとも１つのみから第１１の量のガスを受けた後、第３の受入容器２１１’’を目標最終圧力まで充填することができる。
【０１６３】
第２の方法の依然としてさらなる実施形態では、第１２の量のガスを、１つ以上の固定式圧縮ガス貯蔵容器２０４のうちの少なくとも１つまたは他のものから第４の受入容器２１１’’’に、１つ以上の固定式圧縮ガス貯蔵容器２０４のうちの少なくとも１つまたは他のものの中のガスと第４の受入容器２１１’’’内のガスとの間の圧力差を用いることで移送して、第１２の量のガスを移送する。第４の受入容器２１１’’’に移送されるガスは、１つ以上の固定式圧縮ガス貯蔵容器２０４のみから提供され、第４の受入容器２１１’‘‘のガスの圧力を初期圧力（すなわち、分配ステーションに接続するときの）から第４の受入容器のガスの目標最終圧力まで上昇させる。これを、図２ｈ及び２ｉに示されるステップに従って達成することができ、第２の移動式圧縮ガス貯蔵装置２１０’は、対応する図の第１の移動式圧縮ガス貯蔵装置２１０を置き換え、第４の２１１’’’は、第１の受入容器２１１を置き換える。
【０１６４】
第２の移動式圧縮ガス貯蔵装置２１０’からのガスが移送されないので、第２の移動式圧縮ガス貯蔵装置２１０’上の貯蔵容器が、それぞれ第４の受入容器２１１’’’内のガスの初期圧力よりも低い圧力のガスを含む場合、第１２の量のガスを、１つ以上の固定式圧縮ガス貯蔵容器２０４から第４の受入容器２１１’’’に移送することができる。
【０１６５】
第２の方法のさらなる実施形態では、第１３の量のガスを、第２の移動式圧縮ガス貯蔵装置２１０’上の複数の貯蔵容器のうちの第１の貯蔵容器２０２’から第５の受入容器２１１’’’’に、第１の貯蔵容器２０２’内のガスと第５の受入容器２１１’’’’内のガスとの間の圧力差を用いることで移送して、第１３の量のガスを移送することができる。これを、図２ａ、２ｂ及び３ｃに示されるステップに従って達成することができ、第２の移動式圧縮ガス貯蔵装置２１０’は、対応する図の第１の移動式圧縮ガス貯蔵装置２１０を置き換え、第５の受入容器２１１’’’’は、第１の受入容器２１１を置き換える。第１３の量のガスの移送に続いて、第１４の量のガスを、第２の移動式圧縮ガス貯蔵装置上の複数の貯蔵容器の第２の貯蔵容器２０３’から第５の受入容器２１１’’’’に、第２の貯蔵容器２０３’内のガスと第２の第５の受入容器２１１’’’’内のガスとの間の圧力差を用いることで移送して、第１４の量のガスを移送する。これを、図２ｅ及び２ｆに示されるステップに従って達成することができ、第２の移動式圧縮ガス貯蔵装置２１０’は、対応する図の第１の移動式圧縮ガス貯蔵装置２１０を置き換え、第５の受入容器２１１’は、第１の受入容器２１１を置き換える。この別の実施形態では、ガスは、第２の移動式圧縮ガス貯蔵装置のみから第５の受入容器２１１’’’’に供給され、第５の受入容器２１１’’’’内のガスの圧力を初期圧力（すなわち、受入容器が分配ステーションに接続されているときの圧力）を第５の受入容器２１１’’’’の目標最終圧力まで上昇させる。
【０１６６】
第２の方法では、第１の移動式圧縮ガス貯蔵装置の複数の貯蔵容器２０２、２０３のうちの少なくとも１つからの量のガスを、図２ｇ及び２ｉに示すように、圧縮機を介して受入容器２１１に移送することができる。第２の方法では、第１の移動式圧縮ガス貯蔵装置２１０の複数の貯蔵容器２０２、２０３のうちの少なくとも１つからの量のガスの移送を、受入容器２１１に、第４の量のガスの１つ以上の固定式貯蔵容器のうちの少なくとも１つから受入容器２１１への移送と同時に移送することができる。
【０１６７】
その様々なステップ及び任意のステップを伴う第３の方法が、図４ａ〜４ｌに記載されている。図４ａ〜４ｌは、本方法を実施するための例示的なプロセスフロー図を示す。示されている移送ライン及びバルブは例示的なものに過ぎず、この方法を実施するために様々な代替構成を使用することができる。
【０１６８】
第３の方法は、圧縮ガス分配ステーション（１０）で複数の受入容器に圧縮ガスを分配する方法である。複数の受入容器は、様々なタイプの輸送車両に搭載された燃料タンクであってもよい。圧縮ガス分配ステーション１０は、移動式圧縮ガス貯蔵装置３００と、液体貯蔵容器３５０と、１つ以上の固定式圧縮ガス貯蔵容器３１１とを備える。液体貯蔵容器３５０は、固定式液体貯蔵容器または移動式液体貯蔵容器であってもよい。
【０１６９】
圧縮ガス分配ステーション１０は、圧縮ガス貯蔵と液体貯蔵の両方を利用することができる。高圧移動式圧縮ガス貯蔵装置３００から供給されたまたは液体貯蔵容器３５０から供給された圧縮ガスの分配は、液体または圧縮ガス形態の貯蔵製品の経済性及び入手可能性に基づいて決定することができる。
【０１７０】
液体貯蔵容器３５０内の液体が移動式圧縮ガス貯蔵装置内の圧縮ガスよりも高コストである場合、分配ステーション１０は移動式圧縮ガス貯蔵装置３００から優先的に圧縮ガスを分配することができる。移動式圧縮ガス貯蔵装置３００内の圧縮ガスが枯渇すると、分配ステーション１０は液体貯蔵容器３５０から供給された圧縮ガスを分配することができる。
【０１７１】
液体貯蔵容器３５０は、所望の生成物、例えば水素を貯蔵するための任意の適切な貯蔵容器であり得る。液体水素を貯蔵するための貯蔵容器は周知である。液体貯蔵容器３５０は、固定式液体貯蔵容器であってもよく、供給トレーラーからの液体は、固定式液体貯蔵容器に荷降ろしされる。液体貯蔵容器３５０は、移動式液体貯蔵容器自体が供給倉庫と分配ステーション１０との間で前後に搬送されるトレーラー上に取り付けられた移動式液体貯蔵容器であってもよい。
【０１７２】
移動式圧縮ガス貯蔵装置３００は、複数の貯蔵容器３０２、３０３を備える。２つのみが示されているが、複数の貯蔵容器３０２、３０３は、任意の所望の数の高圧貯蔵容器を含むことができる。複数の貯蔵容器３０２、３０３のそれぞれに含まれる圧縮ガスの圧力は、互いに同じであってもよいし、互いに異なっていてもよい。高圧貯蔵容器３０２、３０３は、例えば５０ＭＰａまたは９０ＭＰａの最大圧力定格を有することができる。移動式圧縮ガス貯蔵装置３００は移動式であり、移動式圧縮ガス貯蔵装置３００が圧縮ガス供給倉庫で充填され圧縮ガス分配ステーション１０に持ち込まれ、圧縮ガス分配ステーション１０で圧縮ガス供給源として使用され、圧縮ガスが選択された枯渇レベルに枯渇された後、圧縮ガスで再充填するために圧縮ガス供給倉庫に再び戻される。移動式圧縮ガス貯蔵装置に搭載された高圧圧縮ガスを有する貯蔵容器の使用は、分配ステーションにおけるガス圧縮機への依存を低減し、分配ステーションにおけるガス圧縮機の関連する電力要件を低減するという利点を提供する。
【０１７３】
移動式圧縮ガス貯蔵装置３００を、上述の別の移動式圧縮ガス貯蔵装置と容易に交換できるように設計及び構成することができる。移動式圧縮ガス貯蔵装置３００及び分配ステーション１０を、上述のように移動式圧縮ガス貯蔵装置３００と分配ステーション１０との間の高圧接続の数を最小にするように構成することができる。
【０１７４】
分配ステーション１０は、一度に２つ以上の移動式圧縮ガス貯蔵装置３００を用いて操作することができ、受入容器へのカスケード分配する際、米国特許第８，４５３，６８２号に記載されているように、受入容器に分配する際に複数の移動式圧縮ガス貯蔵装置を取り出すことができる。
【０１７５】
移動式圧縮ガス貯蔵装置３００は、圧縮ガスで充填された圧縮ガス分配ステーション１０に到着する。
【０１７６】
１つ以上の固定式圧縮ガス貯蔵容器３１１は、任意の所望の数の高圧貯蔵容器を含むことができる。１つ以上の固定式貯蔵容器３１１のそれぞれに含まれる圧縮ガスの圧力は、互いに同じであってもよいし、互いに異なっていてもよい。１つ以上の固定式圧縮ガス貯蔵容器は、例えば５０ＭＰａまたは９０ＭＰａの最大圧力定格を有することができる。
【０１７７】
圧縮ガス分配ステーション１０はまた、ポンプまたは圧縮機であり得る流体移動装置３１０を備える。流体移動装置は、液体源から１つ以上の固定式圧縮ガス貯蔵容器３１１に液体、気体、及び液体及び気体の２相混合物を圧送することができる。米国特許第５，２４３，８２１号は、適切な流体移動装置を開示している。適切な極低温水素圧縮機システムは、Ａｉｒ  Ｐｒｏｄｕｃｔｓ  ａｎｄ  Ｃｈｅｍｉｃａｌｓ、Ｉｎｃ．から市販されている（ｈｔｔｐ：／／ｗｗｗ．ａｉｒｐｒｏｄｕｃｔｓ．ｃｏｍ／ｍｉｃｒｏｓｉｔｅ／２０１３＿ｈｙｄｒｏｇｅｎ＿ｓｕｐｐｏｒｔ／３３９６９＿ｃｒｙｏｇｅｎｉｃ＿ｈｙｄｒｏｇｅｎ＿圧縮機＿ｄｓ．ｐｄｆ）。必要な流量と圧力定格に応じて、様々な機種（ＣＨＣ−３０００、ＣＨＣ−３０００、ＣＨＣ−６０００、ＣＨＣ−７０００、ＣＨＣ−３００００）が利用可能である。
【０１７８】
この方法は、複数の受入容器の第１の受入容器３７１を圧縮ガスステーション１０に動作可能に接続するステップを含む。受入容器及び圧縮ガスステーションを接続するための適切なノズル及びレシーバは、水素分配技術において周知である。第１の受入容器３７１が圧縮ガス分配ステーション１０に動作可能に接続されると、第１の受入容器３７１は、初期圧力の圧縮ガスを含む。
【０１７９】
図４ａを参照すると、この方法は、移動式圧縮ガス貯蔵装置３００上の複数の貯蔵容器の第１の貯蔵容器３０２から第１の量の圧縮ガスを複数の受入容器の第１の受入容器３７１に移送することを含む。第１の量の圧縮ガスを、圧縮機を使用せずに第１の貯蔵容器３０２内の圧縮ガスと第１の受入容器３７１内の圧縮ガスとの間の圧力差を用いることで移送して、第１の量の圧縮ガスを移送する。圧縮ガスの移送は、２つの容器間の圧力差が所望の量に減少するまで継続することができる。
【０１８０】
カスケード分配技術によれば、図４ｂに示すように、第１の量の圧縮ガスの移送に続いて、方法は、移動式圧縮ガス貯蔵装置３００上の複数の貯蔵容器の第２の貯蔵容器３０３からの第２の量の圧縮ガスを第１の受入容器３７１に移送することを含む。第１の受入容器３７１への分配の開始時の第２の貯蔵容器３０３は、第１の受入容器３７１への分配の終了時の第１の貯蔵容器３０２よりも高い圧力の圧縮ガスを含む。第２の量の圧縮ガスを、圧縮機を使用せずに第２の貯蔵容器３０３内の圧縮ガスと第１の受入容器３７１内の圧縮ガスとの間の圧力差を用いることで移送して、第２の量の圧縮ガスを移送する。圧縮ガスの移送は、２つの容器間の圧力差が所望の量に減少するまで継続することができる。
【０１８１】
移動式圧縮ガス貯蔵装置３００上の複数の貯蔵容器の他の貯蔵容器を使用して、対応するステップを用いて、移動式圧縮ガス貯蔵装置から第１の受入容器３７１に追加の圧縮ガスを分配することによって、分配方法を進めることができる。カスケード充填技術を使用する分配は、移動式圧縮ガス貯蔵装置３００の複数の貯蔵容器のうちの任意の数を使用することができる。移動式圧縮ガス貯蔵装置３００のみから圧縮ガスが第１の受入容器３７１に移送され、第１の受入容器３７１の圧縮ガスの圧力が初期圧力から第１の受入容器３７１の目標圧力まで上昇し、移動式圧縮ガス貯蔵装置３００からの圧縮ガスのみを使用して、第１の受入容器３７１が目標圧力まで再充填される。次いで、第１の受入容器３７１を、圧縮ガス分配ステーション１０から切り離してもよい。
【０１８２】
本明細書で使用する「目標圧力」及び「目標最終圧力」は、対応する受入容器が分配ステーションで充填される最大圧力を示す。対応する受入容器のガスが対応する受入容器の目標圧力まで達したときに、再充填が終了し、対応する受入容器が分配ステーションから切り離される。対応する受入容器に動作可能に接続されている分配ステーションの分配ノズルを出るガスの圧力が、受入容器のガスの圧力とほぼ同じであるので、分配ステーションの分配ノズルを出るガスが対応する受入容器の目標圧力になるまで、ガスが分配されると等価的に記述され得る。
【０１８３】
分配方法は、液体貯蔵容器３５０から供給された圧縮ガスを分配することを含む。この方法は、液体貯蔵容器３５０から第１の量の液体を図４ｃに示すように流体移動装置１１０を介して１つ以上の固定式圧縮ガス貯蔵容器３１１に移送することを含む。第１の量の液体は、１つ以上の固定式圧縮ガス貯蔵容器３１１内で、５０ＭＰａより大きい圧力または９０ＭＰａより大きい圧力の第３の量の圧縮ガスを形成する。
【０１８４】
流体移動装置１１０は、液体の圧力が気体よりも効率的に増加するので、液体を低温で圧送するのが有利である。大量のモルの圧縮ガスは、ガスよりも低コストの装置及び低い運転コストで液体を圧送することによって形成することができる。流体移動装置１１０を通過した後、周囲空気と熱交換することによって、圧送された液体を加熱するために、熱交換器（図示せず）を使用することができる。技術的には、流体移動装置を離れる「液体」は超臨界流体でよい。
【０１８５】
方法は、複数の受入容器の第２の受入容器３７２を圧縮ガス分配ステーション１０に動作可能に接続することを含む。
【０１８６】
方法は、移動式圧縮ガス貯蔵装置３００上の複数の貯蔵容器３０２、３０３のうちの１つ以上からの第４の量の圧縮ガスを複数の受入容器の第２の受入容器３７２に移送することを含む。図４ｄは、第２の貯蔵容器３０３から第２の受入容器３７２に移送されている第４の量の圧縮ガスを示す。第４の量の圧縮ガスを、圧縮機を使用せずに複数の貯蔵容器３０２、３０３のうちの１つ以上の圧縮ガスと第２の受入容器３７２との間の圧力差を用いることで移送して、第４の量の圧縮ガスを移送する。圧縮ガスの移送は、２つの容器間の圧力差が所望の量に減少するまで継続することができる。複数の貯蔵容器３０２、３０３のうちの１つ以上は、複数の貯蔵容器のうちの第１の貯蔵容器、複数の貯蔵容器の第２の貯蔵容器、及び複数の貯蔵容器のうちの第３の貯蔵容器のうちの１つ以上を含むことができる。
【０１８７】
カスケード分配技術によれば、図４ｅに示すように、第４の量の圧縮ガスの移送に続いて、方法は、１つ以上の固定式圧縮ガス貯蔵容器３１１のうちの少なくとも１つから第２の受入容器３７２に第５の量の圧縮ガスを移送することを含む。移動式圧縮ガス貯蔵装置３００に取り付けられた貯蔵容器の総数のうちのそれぞれ及びすべての貯蔵容器内の圧縮ガスの圧力が、第２の受入容器３７２内の圧縮ガスの目標圧力を提供するには不十分であると判断されるとき、第５の量の圧縮ガスを移送することができる。
【０１８８】
第５の量の圧縮ガスを、カスケード充填技術を使用して、１つ以上の固定式圧縮ガス貯蔵容器３１１のうちの２つ以上から分配することができる。第５の量の圧縮ガスは、第３の量の圧縮ガスの少なくとも一部を含み、第５の量の圧縮ガスは、液体貯蔵容器３５０からの液体から形成される。第２の受入容器３７２への分配の開始時における１つ以上の固定式圧縮ガス貯蔵容器３１１のうちの少なくとも１つは、第２の受入容器３７２への分配の終了時における移動式圧縮ガス貯蔵装置３００上の複数の貯蔵容器のうちの１つ以上より高い圧力の圧縮ガスを含む。第５の量の圧縮ガスを、圧縮機を使用せずに１つ以上の固定式圧縮ガス貯蔵容器３１１のうちの少なくとも１つの圧縮ガスと第２の受入容器３７２の圧縮ガスとの間の対応する圧力差を用いることで移送して、第５の量の圧縮ガスを移送する。圧縮ガスの移送は、２つの容器間の圧力差が所望の量に減少するまで継続することができる。
【０１８９】
分配方法は、１つ以上の固定式圧縮ガス貯蔵容器３１１の追加の貯蔵容器から追加の圧縮ガスを、１つ以上の固定式圧縮ガス貯蔵容器３１１の他の貯蔵容器を使用して対応するステップで第２の受入容器３７２に分配することによって進めることができる。
【０１９０】
圧縮ガスは、移動式圧縮ガス貯蔵装置３００及び１つ以上の固定式圧縮ガス貯蔵容器から第２の受入容器３７２に移送され、第２の受入容器３７２内の圧縮ガスの圧力を増加させ、移動式圧縮ガス貯蔵装置３００と１つ以上の固定式圧縮ガス貯蔵容器のうちの少なくとも１つの固定式圧縮ガス貯蔵容器３１１のうちの少なくとも１つからの圧縮ガスを使用して、第２の受入容器３７２が目標圧力まで再充填され、１つ以上の固定式圧縮ガス貯蔵容器のうちの少なくとも１つが液体貯蔵容器３５０から充填される。第２の受入容器３７２を目標圧力まで再充填した後、第２の受入容器３７２を圧縮ガス分配ステーション１０から切り離ことができる。
【０１９１】
固定式圧縮ガス貯蔵容器３１１から高圧圧縮ガスを提供することは、圧縮ガスをなお所望の目標圧力まで提供することができると同時に、圧縮ガスを移動式圧縮ガス貯蔵装置３００からさらに枯渇させるために移動式圧縮ガス貯蔵装置３００から低圧圧縮ガスを分配することを可能にするという利点を提供する。圧縮ガスで再充填するために移動式圧縮ガス貯蔵装置３００が圧縮ガス供給倉庫に搬送されることが必要になる前に、より多くの圧縮ガスを移動式圧縮ガス貯蔵装置３００から取り出すことができる。
【０１９２】
方法は、複数の受入容器の第３の受入容器３７３を圧縮ガス分配ステーション１０に動作可能に接続することを含む。第３の受入容器３７３が圧縮ガス分配ステーション（１０）に動作可能に接続されると、第３の受入容器３７３は初期圧力の圧縮ガスを含む。
【０１９３】
方法は、第６の量の圧縮ガスを、１つ以上の固定式圧縮ガス貯蔵容器３１１のうちの少なくとも１つまたは別のものから複数の受入容器の第３の受入容器３７３に移送することを含む。第６の量の圧縮ガスを、カスケード充填技術を使用して１つ以上の固定式圧縮ガス貯蔵容器３１１のうちの２つ以上から分配することができる。図４ｆは、１以上の固定式圧縮ガス貯蔵容器３１１から第３の受入容器３７３に移送される第６の量の圧縮ガスを示す。第６の量の圧縮ガスを、圧縮機を使用せずに１つ以上の固定式圧縮ガス貯蔵容器３１１のうちの少なくとも１つまたはその他の圧縮ガスと第３の受入容器３７３内の圧縮ガスとの間の圧力差を用いることで移送して、第６の量の圧縮ガスを移送する。圧縮ガスの移送は、２つの容器間の圧力差が所望の量に減少するまで継続することができる。
【０１９４】
圧縮ガスは、１つ以上の固定式圧縮ガス貯蔵容器３１１のみから第３の受入容器３７３に移送され、第３の受入容器３７３の圧縮ガスの初期圧力から第３受入容器３７３の圧縮ガスの圧力を第３の受入容器３７３の目標圧力まで増加させ、第３の受入容器３７３は、１つ以上の固定式圧縮ガス貯蔵容器３１１からの圧縮ガスのみを使用して、初期圧力から目標圧力まで再充填される。
【０１９５】
移動式圧縮ガス貯蔵装置３００の貯蔵容器が第３の受入容器３７３の圧縮ガスの初期圧力未満の圧力の圧縮ガスを含むとき、または、圧縮ガス分配ステーション１０に接続された移動式圧縮ガス貯蔵装置がないとき第６の量の圧縮ガスを１つ以上の固定式圧縮ガス貯蔵容器３１１から第３の受入容器３７３に移送することができる。
【０１９６】
第３の受入容器３７３を目標圧力まで再充填した後、第３の受入容器３７３を圧縮ガス分配ステーション１０から切り離すことができる。
【０１９７】
１つ以上の固定式圧縮ガス貯蔵容器が液体貯蔵容器３５０から充填される１つ以上の固定式圧縮ガス貯蔵容器３１１のみから圧縮ガスを分配する能力は、移動式圧縮ガス貯蔵装置３００上の貯蔵容器が枯渇したとき、または圧縮ガス分配ステーション１０に動作可能に接続された移動式圧縮ガス貯蔵装置がないときに、高圧圧縮ガスのバックアップ供給を提供する。
【０１９８】
液体供給は、必要に応じて、熱交換器の使用により、移動式圧縮ガス貯蔵装置３００から分配された圧縮ガスの冷却を任意に提供することができる。熱交換器は、例えば欧州特許第２６８２６６４Ａ２号及び米国特許第８６７１９９７Ｂ２号に記載されている冷却ブロックの使用の有無にかかわらず、液体貯蔵容器３５０からの液体または低温ガスと移動式圧縮ガス貯蔵装置からの圧縮ガスとの間で熱を交換することができる。
【０１９９】
圧縮ガス分配ステーション１０は、圧縮ガスが移動式圧縮ガス貯蔵装置３００で枯渇し、圧縮ガスの圧力がさらなる受入容器に燃料補給するのに不十分とみなされるまで、受入容器に分配し続けることができる。
【０２００】
移動式圧縮ガス貯蔵装置３００を選択された枯渇レベルに枯渇した後、移動式圧縮ガス貯蔵装置を圧縮ガス分配ステーション１０から切り離し、第２の移動式圧縮ガス貯蔵装置４００を圧縮ガス分配ステーション１０に動作可能に接続することができる。選択された枯渇レベルを、移動式圧縮ガス貯蔵装置に提供される圧縮ガスのコスト及び圧縮ガスを形成するための液体のコスト、及び／または様々な形態の製品の用途などによって選択することができる。第２の移動式圧縮ガス貯蔵装置４００は、複数の貯蔵容器４０２、４０３を備える。
【０２０１】
方法はさらに、複数の受入容器の第４の受入容器３７４を圧縮ガス分配ステーション１０に動作可能に接続することを含むことができる。第４の受入容器が圧縮ガス分配ステーション１０に動作可能に接続されるとき、第４の受入容器３７４は初期圧力の圧縮ガスを含む。
【０２０２】
図４ｇに示すように、方法は、第２の移動式圧縮ガス貯蔵装置４００上の複数の貯蔵容器の第１の貯蔵容器４０２から第７の量の圧縮ガスを複数の受入容器の第４の受入容器３７４に移送することをさらに含むことができる。第７の量の圧縮ガスを、圧縮機を使用せずに第１の貯蔵容器４０２内の圧縮ガスと第４の受入容器３７４内の圧縮ガスとの間の圧力差を用いることで移送して、第７の量の圧縮ガスを移送することができる。圧縮ガスの移送は、２つの容器間の圧力差が所望の量に減少するまで継続することができる。
【０２０３】
カスケード分配技術によれば、図４ｈに示すように、第７の量の圧縮ガスの移送に続いて、方法は、第２の移動式圧縮ガス貯蔵装置４００上の複数の貯蔵容器の第２の貯蔵容器４０３から第８の量の圧縮ガスを第４の受入容器３７４に移送することを含むことができる。第４の受入容器３７４への分配の開始時の第２の貯蔵容器４０３は、第４の受入容器３７４への分配の終了時の第１の貯蔵容器４０２より高い圧力の圧縮ガスを含む。第８の量の圧縮ガスを、圧縮機を使用せずに、第２の貯蔵容器４０３内の圧縮ガスと第４の受入容器３７４内の圧縮ガスとの間の圧力差を用いることで移送して、第８の量の圧縮ガスを移送することができる。圧縮ガスの移送は、２つの容器間の圧力差が所望の量に減少するまで継続することができる。
【０２０４】
分配方法は、第２の移動式圧縮ガス貯蔵装置４００上の複数の貯蔵容器の他の貯蔵容器を使用する対応するステップにより、第２の移動式圧縮ガス貯蔵装置４００から第４の受入容器３７４へ追加の圧縮ガスを分配することによって進めることができる。カスケード充填技術を使用する分配は、第２の移動式圧縮ガス貯蔵装置４００の複数の貯蔵容器のうちの任意の数を使用することができる。圧縮ガスは、第２移動式圧縮ガス貯蔵装置４００のみから第４受入容器３７４に移送され、第４の受入容器３７４の圧縮ガスの圧力を初期圧力から第４の受入容器３７４の目標圧力まで上昇させ、第２の移動式圧縮ガス貯蔵装置４００からの圧縮ガスのみを用いて第４の受入容器３７４を目標圧力まで再充填する。
【０２０５】
移動式圧縮ガス貯蔵装置３００を分配ステーション１０から切り離すと、移動式圧縮ガス貯蔵装置３００を圧縮ガス供給倉庫に移送することができる。移動式圧縮ガス貯蔵装置３００は、圧縮ガス供給倉庫で圧縮ガスで再充填され、移動式圧縮ガス貯蔵装置３００は分配ステーション１０に戻される。
【０２０６】
移動式圧縮ガス貯蔵装置３００は、圧縮ガス分配ステーション１０に動作可能に接続され、圧縮ガスを受入容器に分配するために再び使用される。
【０２０７】
方法は、第５の受入容器３７５を圧縮ガス分配ステーション１０に動作可能に接続することを含むことができる。第５の受入容器が圧縮ガス分配ステーション１０に動作可能に接続されるとき、第５の受入容器３７５は、初期圧力の圧縮ガスを含む。
【０２０８】
図４ｉに示すように、方法は、移動式圧縮ガス貯蔵装置３００上の複数の貯蔵容器の第１の貯蔵容器３０２から複数の受入容器の第５の受入容器３７５に第９の量の圧縮ガスを移送することをさらに含むことができる。第９の量の圧縮ガスを、圧縮機を使用せずに第１の貯蔵容器３０２の圧縮ガスと第５の受入容器３７５の圧縮ガスとの間の圧力差を用いることで移送して、第９の量の圧縮ガスを移送することができる。圧縮ガスの移送は、２つの容器間の圧力差が所望の量に減少するまで継続することができる。
【０２０９】
カスケード分配技術によれば、図４ｊに示すように、第９の量の圧縮ガスの移送に続いて、方法は、移動式圧縮ガス貯蔵装置３００上の複数の貯蔵容器の第２の貯蔵容器３０３から第５の受入容器３７５に第１０の量の圧縮ガスを移送することを含むことができる。第５の受入容器３７５への分配の開始時の第２の貯蔵容器３０３は、第５の受入容器３７５への分配の終了時の第１の貯蔵容器３０２よりも高い圧力の圧縮ガスを含む。第１０の量の圧縮ガスを、圧縮機を使用せずに第２の貯蔵容器３０３内の圧縮ガスと第５の受入容器３７５内の圧縮ガスとの間の圧力差を用いることで移送して、第１０の量の圧縮ガスを移送する。圧縮ガスの移送は、２つの容器間の圧力差が所望の量に減少するまで継続することができる。
【０２１０】
分配方法を、移動式圧縮ガス貯蔵装置３００上の複数の貯蔵容器の他の貯蔵容器を使用して対応するステップで移動式圧縮ガス貯蔵装置３００から第５の受入容器３７５に追加の圧縮ガスを分配することによって進めることができる。圧縮ガスは、移動式圧縮ガス貯蔵装置３００のみから第５の受入容器３７５に移送され、第５の受入容器３７５の圧縮ガスの圧力が初期圧力から第５の受入容器３７５の目標圧力まで上昇し、第５の受入容器３７５は、移動式圧縮ガス貯蔵装置３００からの圧縮ガスのみを使用して目標圧力まで再充填される。
【０２１１】
図４ｋに示すように、方法は、移動式圧縮ガス貯蔵装置３００上の複数の貯蔵容器３０２、３０３のうちの１つ以上からのある量の圧縮ガスを、流体移動装置（１１０）を介して１つ以上の固定式圧縮ガス貯蔵容器３１１に移送することを含むことができる。これは、複数の貯蔵容器３０２、３０３内の圧力が、圧縮ガスを受入容器に所望の目標圧力まで供給するのに不十分であると考えられる場合に行われ得る。
【０２１２】
別の受入容器３７６を、分配ステーション１０に動作可能に接続することができる。図４ｌに示すように、方法は、ある量の圧縮ガスを、固定式圧縮ガス貯蔵容器３１１の１つ以上から他の受入容器３７６に、１つ以上の固定式圧縮ガス貯蔵容器３１１内の圧縮ガスと他の受入容器３７６内の圧縮ガスとの間の圧力差を用いることで移送して、ある量の圧縮ガスを移送することを含むことができる。１つ以上の固定式圧縮ガス貯蔵容器３１１から他の受入容器３７６に移送される量の圧縮ガスは、移動式圧縮ガス貯蔵装置３００上の複数の貯蔵容器３０２、３０３のうちの１つ以上から流体移動装置１１０を介して固定式圧縮ガス貯蔵容器３１１の１つ以上に移送されたある量の圧縮ガスの少なくとも一部分を含む。
【０２１３】
圧縮ガスが、移動式圧縮ガス貯蔵装置３００上の複数の貯蔵容器３０２、３０３のうちの１つ以上から固定式圧縮ガス貯蔵容器３１１の１つ以上に、流体移動装置を介して移送され、続いて圧縮ガスが１つ以上の固定式圧縮ガス貯蔵容器３１１から別の受入タンクに移送されるこれらのステップは、移動式圧縮ガス貯蔵装置３００が圧縮ガスで再充填される圧縮ガス供給倉庫に移送されることが必要になる前に、複数の貯蔵容器３０２、３０３における圧縮ガスの利用を改善する利点を提供し、移動式圧縮ガス貯蔵装置３００上の複数の貯蔵容器を、再充填される前に、より完全に枯渇することができる。この構成は、移動式圧縮ガス貯蔵装置３００から１つ以上の固定式圧縮ガス貯蔵容器３１１への圧縮ガスの移送を達成するために追加の流体移動装置を必要としないという利点を有するという相乗効果を有する。
【０２１４】
これらの方法のそれぞれについて、当業者は適切なステップを選択し、必要に応じてステップを省略することができる。
【図１ａ】
0006416982.tif 000002
【図１ｂ】
0006416982.tif 000003
【図１ｃ】
0006416982.tif 000004
【図１ｄ】
0006416982.tif 000005
【図１ｅ】
0006416982.tif 000006
【図１ｆ】
0006416982.tif 000007
【図１ｇ】
0006416982.tif 000008
【図１ｈ】
0006416982.tif 000009
【図１ｉ】
0006416982.tif 000010
【図１ｊ】
0006416982.tif 000011
【図１ｋ】
0006416982.tif 000012
【図１ｌ】
0006416982.tif 000013
【図１ｍ】
0006416982.tif 000014
【図１ｎ】
0006416982.tif 000015
【図１ｏ】
0006416982.tif 000016
【図１ｐ】
0006416982.tif 000017
【図１ｑ】
0006416982.tif 000018
【図１ｒ】
0006416982.tif 000019
【図１ｓ】
0006416982.tif 000020
【図１ｔ】
0006416982.tif 000021
【図１ｕ】
0006416982.tif 000022
【図１ｖ】
0006416982.tif 000023
【図１ｗ】
0006416982.tif 000024
【図１ｘ】
0006416982.tif 000025
【図１ｙ】
0006416982.tif 000026
【図２ａ】
0006416982.tif 000027
【図２ｂ】
0006416982.tif 000028
【図２ｃ】
0006416982.tif 000029
【図２ｄ】
0006416982.tif 000030
【図２ｅ】
0006416982.tif 000031
【図２ｆ】
0006416982.tif 000032
【図２ｇ】
0006416982.tif 000033
【図２ｈ】
0006416982.tif 000034
【図２ｉ】
0006416982.tif 000035
【図２ｊ】
0006416982.tif 000036
【図３】
0006416982.tif 000037
【図４ａ】
0006416982.tif 000038
【図４ｂ】
0006416982.tif 000039
【図４ｃ】
0006416982.tif 000040
【図４ｄ】
0006416982.tif 000041
【図４ｅ】
0006416982.tif 000042
【図４ｆ】
0006416982.tif 000043
【図４ｇ】
0006416982.tif 000044
【図４ｈ】
0006416982.tif 000045
【図４ｉ】
0006416982.tif 000046
【図４ｊ】
0006416982.tif 000047
【図４ｋ】
0006416982.tif 000048
【図４ｌ】
0006416982.tif 000049